(57)【特許請求の範囲】
【請求項１】
表示画面上に表示された移動対象であるオブジェクトを移動する方法であって、電子装置が、
ユーザからの指示に応じて、表示画面枠上又はその近傍において、少なくとも１つの枠を表示するステップであって、前記ユーザからの指示があったときの前記オブジェクトの現在位置を原点とする、前記表示するステップと、
前記原点に収束するように前記枠を移動するステップと、
前記オブジェクトの短距離の移動に応答して、前記原点を端点として当該端点と前記オブジェクトの前記短距離の移動先の位置とを結ぶ半直線と前記枠との交点を前記オブジェクトの移動先として選択するステップと、
前記交点に前記オブジェクトを移動して表示するステップと
を実行することを含む、前記方法。
【請求項２】
前記電子装置が、
前記原点を含み、前記枠に関連付けられた縮小表示又は、前記原点を含む円、楕円、略円若しくは略楕円を表示するステップ、又は、
前記原点を中心として、前記枠に関連付けられた縮小表示又は、円、楕円、略円若しくは略楕円を表示するステップ
をさらに実行することを含む、請求項１に記載の方法。
【請求項３】
前記選択するステップが、
前記縮小表示内又は、円、楕円、略円若しくは略楕円内での前記オブジェクトの移動に応じて、前記交点を変更するステップ
をさらに含む、請求項２に記載の方法。
【請求項４】
前記交点に前記オブジェクトを移動して表示するステップが、
前記縮小表示の枠上又は、円、楕円、略円若しくは略楕円の円周上を前記オブジェクトが通過することに応じて行われる、請求項２又は３に記載の方法。
【請求項５】
前記枠を移動するステップが、
前記枠を縮小又は拡大することによって行われる、請求項１に記載の方法。
【請求項６】
前記枠を移動するステップが、自動的に、又は、ユーザによる操作に応じて行われる、請求項１に記載の方法。
【請求項７】
前記枠を移動するステップが、加速度的に、又は、ユーザによる操作に応じて速度を下げて若しくは速度を上げて行われる、請求項１に記載の方法。
【請求項８】
前記枠が第１の電子装置の第１の表示画面上と第２の電子装置の第２の表示画面上に表示されており、
前記第１の電子装置が、前記第１の表示画面上に前記枠の一部を表示し、且つ、
前記第２の電子装置が、前記第２の表示画面上に前記枠の残りを表示する、
請求項１に記載の方法。
【請求項９】
前記第１の電子装置が、前記原点、及び前記枠に関連付けられた縮小表示又は、円、楕円、略円若しくは略楕円を前記第１の表示画面上に表示し、且つ、
前記第２の電子装置が、前記交点を前記第２の表示画面上に表示する、
請求項８に記載の方法。
【請求項１０】
前記第２の電子装置が、前記オブジェクトを前記交点に移動して表示する、請求項９に記載の方法。
【請求項１１】
前記枠を表示するステップが、前記オブジェクトの移動処理の開始を表す特定のユーザ操作に応答して行われる、請求項１に記載の方法。
【請求項１２】
前記枠が、１つの表示装置の表示画面の外周に対応付けられた形、若しくは、複数の表示装置の表示画面を組み合わせた外周に対応付けられた形、又は、少なくとも１つの円、楕円、略円若しくは略楕円である、請求項１に記載の方法。
【請求項１３】
前記枠が前記表示画面の少なくとも１つの頂点を含む、請求項１２に記載の方法。
【請求項１４】
前記移動対象であるオブジェクトが、カーソル、又は、ユーザが選択可能な移動対象である、請求項１に記載の方法。
【請求項１５】
表示画面上に表示された移動対象であるオブジェクトを移動する方法であって、電子装置が、
ユーザからの指示に応じて、表示画面枠上又はその近傍において、少なくとも１つの枠を表示するステップであって、前記ユーザからの指示があったときの前記オブジェクトの現在位置を原点とする、前記表示するステップと、
前記原点を含み、前記枠に関連付けられた縮小表示又は、前記原点を含む円、楕円、略円若しくは略楕円を表示するステップ、又は、前記原点を中心として、前記枠に関連付けられた縮小表示又は、円、楕円、略円若しくは略楕円を表示するステップと、
前記原点に収束するように前記枠を移動するステップと、
前記縮小表示内又は、前記円、楕円、略円若しくは略楕円内での前記オブジェクトの移動に応じて、前記原点を端点として当該端点と前記縮小表示内又は、前記円、楕円、略円若しくは略楕円内での前記オブジェクトの移動先の位置とを結ぶ半直線と前記枠との交点を、前記オブジェクトの移動先として選択するステップと、
前記縮小表示の枠上又は、円、楕円、略円若しくは略楕円の円周上を前記オブジェクトが通過することに応じて、前記交点に前記オブジェクトを移動して表示するステップと
を実行することを含む、前記方法。
【請求項１６】
表示画面上に表示された移動対象であるオブジェクトを移動する電子装置であって、
ユーザからの指示に応じて、表示画面枠上又はその近傍において、少なくとも１つの枠を表示する枠表示手段であって、前記ユーザからの指示があったときの前記オブジェクトの現在位置を原点とする、前記枠表示手段と、
前記原点に収束するように前記枠を移動する枠移動手段と、
前記オブジェクトの短距離の移動に応答して、前記原点を端点として当該端点と前記オブジェクトの前記短距離の移動先の位置とを結ぶ半直線と前記枠との交点を前記オブジェクトの移動先として選択する選択手段と、
前記交点に前記オブジェクトを移動するオブジェクト移動手段と
を備えている、前記電子装置。
【請求項１７】
表示画面上に表示された移動対象であるオブジェクトを移動する電子装置であって、
ユーザからの指示に応じて、表示画面枠上又はその近傍において、少なくとも１つの枠を表示する枠表示手段であって、前記ユーザからの指示があったときの前記オブジェクトの現在位置を原点とする、前記枠表示手段と、
前記原点を含み、前記枠に関連付けられた縮小表示又は、前記原点を含む円、楕円、略円若しくは略楕円を表示する縮小表示手段、又は、前記原点を中心として、前記枠に関連付けられた縮小表示又は、円、楕円、略円若しくは略楕円を表示する縮小表示手段と、
前記原点に収束するように前記枠を移動する枠移動手段と、
前記縮小表示内又は、前記円、楕円、略円若しくは略楕円内での前記オブジェクトの移動に応じて、前記原点を端点として当該端点と前記縮小表示内又は、前記円、楕円、略円若しくは略楕円内での前記オブジェクトの移動先の位置とを結ぶ半直線と前記枠との交点を、前記オブジェクトの移動先として選択する選択手段と、
前記縮小表示の枠上又は、円、楕円、略円若しくは略楕円の円周上を前記オブジェクトが通過することに応じて、前記交点に前記オブジェクトを移動するオブジェクト移動手段と
を備えている、前記電子装置。
【請求項１８】
表示画面上に表示された移動対象であるオブジェクトを移動するための電子装置プログラムであって、電子装置に請求項１〜１５のいずれか一項に記載の方法の各ステップを実行させる、前記電子装置プログラム。
【発明の詳細な説明】
【技術分野】
【０００１】
本発明は、表示画面上におけるユーザ・インタフェースの分野に関する。特には、本発明は、表示画面上に表示された移動対象であるオブジェクトを制御する技法に関する。詳細には、本発明は、表示画面上に表示された移動対象であるオブジェクトを移動する技法に関する。
【背景技術】
【０００２】
表示画面上に表示された移動対象（例えば、カーソル又はユーザが選択可能な移動対象）による操作は直感的であり、ユーザビリティに優れており、広く普及している。
【０００３】
近年、ディスプレイの大型化や高解像度化が進んでいる。例えば、２４インチ、２７インチ又はそれ以上の大きさの液晶ディスプレイや、画面アスペクト比が例えば２１：９であるウルトラワイド液晶ディスプレイが販売されている。高解像度ディスプレイとして、例えば３２００×１８００ドット表示対応のＩＧＺＯ液晶ディスプレイ、又は例えば２８８０×１８００ドット若しくは２５６０×１４４０ドット表示対応のＲｅｔｉｎａ液晶ディスプレイを搭載したノート型コンピュータが販売されている。
【０００４】
さらには、大型液晶テレビが広く普及し、当該大型液晶テレビをコンピュータ・ディスプレイとして用いる機会も増えている。
【０００５】
また、さらには、１台のコンピュータに２台以上のディスプレイを組み合わせて、１つの画面としてデスクトップ領域を広げる技術（マルチディスプレイ）が普及している。
【０００６】
しかしながら、上記液晶ディスプレイ、上記大型液晶テレビ及び上記マルチディスプレイの表示画面上において上記移動対象を移動させるためには、当該移動対象を移動させる範囲が広い又はポインティング・デバイスを操作する為の物理スペースが限られているなどの問題がある場合がある。従って、ユーザは、これらの場合において、上記液晶ディスプレイ、上記大型液晶テレビ及び上記マルチディスプレイの表示画面上において上記移動対象を移動させるために、ポインティング・デバイスのある特定の操作を繰り返して行うような行動が必要になる場面が多い（下記図２Ａ及び図２Ｂに示す例を参照）。
【０００７】
また、近年、タブレット端末やスマートフォンが急速に普及している。
【０００８】
しかしながら、当該タブレット端末の中には、その重量の関係から両手で当該タブレット端末を保持しながら、当該タブレット端末を保持した一方の手で操作をする必要がある場合がある。また、当該タブレット端末や当該スマートフォンを片手で保持しながら、当該タブレット端末や当該スマートフォンを保持した片手のみで操作をする必要がある場合がある（例えば、他方の手に荷物を持っている場合や、他方の手で電車のつり革を持っている場合）（下記図２Ｃ及び図２Ｅに示す例を参照）。従って、ユーザは、これらの場合において、当該タブレット端末や当該スマートフォンの表示画面上で上記移動対象を移動させるために、当該タブレット端末や当該スマートフォンを、例えば机上や膝上に一旦おいて操作したり、両手が使用できるようにしたり、又は持ち手を変えたりするというような行動が必要になる場面が多い。
【０００９】
また、上記マルチディスプレイと同様に、複数のタブレット端末やスマートフォンの表示画面を組み合わせて、さらにはタブレット端末やスマートフォンとディスプレイとを組み合わせて、１つの画面として操作可能な技術がある。当該技術において、一つのタブレット端末を両手で保持した場合（下記図２Ｄを参照）、又は当該一つのタブレット端末を片手で保持しながら、当該一つのタブレット端末を保持した片手のみ操作をする場合に、他のタブレット端末やスマートフォンを保持したり又は操作したりできない。従って、ユーザは、この場合において、当該一つのタブレット端末上から他のタブレット端末上へ上記移動対象を移動させるために、当該一つのタブレット端末を、例えば机上や膝上に一旦おいて操作したり、又は両手が使用できるようにしたりするというような行動が必要になる場面が多い。
【００１０】
下記特許文献１はカーソル制御方法に関する発明であり（段落０００１）、当該発明は、所望の項目領域へ高速にカーソルを移動させ、ウインドウ内の項目の選択を迅速に行えるようにすることを目的とし（段落０００４）、画面上に設けられたウインドウ上に表示された項目を選択する際のカーソル制御方法において、カーソルが一の項目領域の外へ出る前後の２点のポインタ位置を結ぶ線分によってカーソル移動方向を決定し、前記線分をカーソル移動方向へ延長して最初に出合う他の項目領域を目標領域と決定し、前記カーソルが一の項目領域の外へ出たときに、前記目標領域のあらかじめ設定された位置へポインタを移動させる制御方法（請求項１）、並びに、画面上に設けられたウインドウ上に表示された項目を選択する際のカーソル制御方法において、一の項目領域のあらかじめ設定された位置と移動する直前のポインタ位置とを結ぶ線分によってカーソル移動方向を決定し、前記線分をカーソル移動方向へ延長して最初に出合う他の項目領域を目標領域と決定し、前記カーソルが一の項目領域の外へ出たとき、または該項目領域内でマウスボタンが押下されたときに、前記目標領域のあらかじめ設定された位置へポインタを移動するカーソル制御方法（請求項２）を記載する。
【００１１】
下記特許文献２はウィンドウ表示装置に関する発明であり（段落０００１）、当該発明は、ウィンドウへの視線、マウスカーソルの移動を最小限に抑えることができ、オペレーションの高速化・効率化を計ることができるウィンドウ表示装置を提供することを目的とし（段落０００５）、当該ウィンドウ表示装置は、カーソルの位置を検出する検出手段と、ウィンドウをカーソルの近傍に表示するウィンドウ表示手段と、ウィンドウをあらかじめ定めた位置に表示する固定位置表示手段と、カーソルの位置に応じて、ウィンドウをカーソルの近傍またはあらかじめ定めた位置のどちらかに表示させる表示制御手段とを有する（請求項１）。
【００１２】
下記特許文献３は、複数のアイコンを相互の相対的な位置関係を変化させながら一括して移動することが可能なアイコン表示装置、アイコン表示方法およびその方法をコンピュータに実行させるプログラムを記載する（段落０００６）。
【００１３】
下記特許文献４は、画面上に設けた小さなサブウィンドウ内にカーソルの位置に点などを表示し、カーソルの位置を瞬時に判り易くすると共に、任意の形状のカーソルを表示およびカーソルを表示する形状を画面上の位置に合わせて見やすく表示することを記載する（段落０００５）。
【００１４】
下記特許文献５は、オペレータの設定したディスプレイ装置１２の画面上のカーソル戻り位置にカーソルの表示を瞬時に移動させる方法を記載する（段落００１７）。
【００１５】
下記非特許文献１は、マウスカーソルが端から端にジャンプする通り抜けループというマウス用ユーティリティを記載する。
【先行技術文献】
【特許文献】
【００１６】
【特許文献１】特開平７−１５２４９０号公報
【特許文献２】特開平６−２１４５４６号公報
【特許文献３】特開２００３−２３３４４６号公報
【特許文献４】特開平７−１２１３４９号公報
【特許文献５】特開平８−８７３８１号公報
【非特許文献】
【００１７】
【非特許文献１】「通り抜けループ」、［online］、［平成２５年６月６日検索］、インターネット〈URL：http://www.vector.co.jp/soft/win95/util/se238088.html〉
【非特許文献２】東京工科大学ホームページ、［online］、［平成２５年６月２８日検索］、インターネット〈URL：http://www.teu.ac.jp/information/2012.html?id=118〉
【非特許文献３】複数のスマホとタブレットが指でつまむと一つの画面に、「Pinch」が生まれたわけ、［online］、［平成２５年６月１０日検索］、インターネット〈URL：http://itpro.nikkeibp.co.jp/article/Interview/20121127/440201/?ST=print〉
【非特許文献４】Tokyo University of Technology's Pinch interface creates ad hoc video walls from mobile devices (video)、［online］、［平成２５年６月２８日検索］、インターネット〈URL：http://www.engadget.com/2012/11/02/tokyo-university-of-technologys-pinch-interface-creates-video-walls/〉
【発明の概要】
【発明が解決しようとする課題】
【００１８】
本発明は、上記移動対象であるオブジェクトを、目的の位置（例えば、ポインティング・デバイスの現在位置から遠く離れた位置）に精度良く乃至は効率良く移動させたり、又は、ポインティング・デバイスの現在位置からあまり離れることなしに、当該ポインティング・デバイスの現在位置から遠くにあるオブジェクト（例えば、アイコン）を選択したりする技法を提供することを目的とする。
【００１９】
また、本発明は、タブレット端末や当該スマートフォンを片手で保持しながら、当該片手のみで操作が必要な場合において、上記移動対象であるオブジェクト（例えば、操作指下のカーソル）を目的の位置に精度良く乃至は効率良く移動させたり、又は、当該片手の指で届かない位置にあるオブジェクト（例えば、アイコン）を操作したりする技法を提供することを目的とする。
【課題を解決するための手段】
【００２０】
本発明は、表示画面上に表示された移動対象であるオブジェクトを移動する技法を提供する。当該技法は、表示画面上に表示された移動対象であるオブジェクトを移動する方法、並びに、その電子装置、電子装置プログラム及び電子装置プログラム製品を包含しうる。
【００２１】
本発明に従う第１の態様の上記方法は、
ユーザからの指示に応じて、表示画面枠上又はその近傍において、少なくとも１つの枠を表示するステップであって、上記ユーザからの指示があったときの上記オブジェクトの現在位置を原点とする、上記表示するステップと、
上記原点に収束するように上記枠を移動するステップと、
上記オブジェクトの短距離の移動に応答して、上記原点を端点として当該端点と上記オブジェクトの上記短距離の移動先の位置とを結ぶ半直線と上記枠との交点を上記オブジェクトの移動先として選択するステップと、
上記交点に上記オブジェクトを移動して表示するステップと
を含む。
【００２２】
本発明に従う第２の態様の上記方法は、
表示画面上に表示された移動対象であるオブジェクトを移動する方法であって、
ユーザからの指示に応じて、少なくとも１つの枠を上記オブジェクトの移動候補先上に表示するステップであって、上記ユーザからの指示があったときの上記オブジェクトの現在位置を原点とする、上記表示するステップと、
上記オブジェクトの短距離の移動に応答して、上記原点を端点として当該端点と上記オブジェクトの上記短距離の移動先の位置とを結ぶ半直線と上記枠との交点を上記オブジェクトの移動先として選択するステップと、
上記交点に上記オブジェクトを移動して表示するステップと
を含む。
【００２３】
本発明に従う第３の態様の上記方法は、
ユーザからの指示に応じて、表示画面枠上又はその近傍において、少なくとも１つの枠を表示するステップであって、上記ユーザからの指示があったときの上記オブジェクトの現在位置を原点とする、上記表示するステップと、
上記原点を含み、上記枠に関連付けられた縮小表示又は、上記原点を含む円、楕円、略円若しくは略楕円を表示するステップ、又は、上記原点を中心として、上記枠に関連付けられた縮小表示又は、円、楕円、略円若しくは略楕円を表示するステップと、
上記原点に収束するように上記枠を移動するステップと、
上記縮小表示内又は、上記円、楕円、略円若しくは略楕円内での上記オブジェクトの移動に応じて、上記原点を端点として当該端点と上記縮小表示内又は、上記円、楕円、略円若しくは略楕円内での上記オブジェクトの移動先の位置とを結ぶ半直線と上記枠との交点を、上記オブジェクトの移動先として選択するステップと、
上記縮小表示の枠上又は、円、楕円、略円若しくは略楕円の円周上を上記オブジェクトが通過することに応じて、上記交点に上記オブジェクトを移動して表示するステップと
を含む。
【００２４】
また、本発明に従う電子装置プログラムは、電子装置に、上記第１〜第３の態様に記載の方法のいずれか一つに記載の方法の各ステップを実行させる。
【００２５】
本発明に従う第４の態様の上記電子装置は、
ユーザからの指示に応じて、表示画面枠上又はその近傍において、少なくとも１つの枠を表示する枠表示手段であって、上記ユーザからの指示があったときの上記オブジェクトの現在位置を原点とする、上記枠表示手段と、
上記原点に収束するように上記枠を移動する枠移動手段と、
上記オブジェクトの短距離の移動に応答して、上記原点を端点として当該端点と上記オブジェクトの上記短距離の移動先の位置とを結ぶ半直線と上記枠との交点を上記オブジェクトの移動先として選択する選択手段と、
上記交点に上記オブジェクトを移動するオブジェクト移動手段と
を備えている。
【００２６】
本発明に従う第５の態様の上記電子装置は、
ユーザからの指示に応じて、少なくとも１つの枠を上記オブジェクトの移動候補先上に表示する枠表示手段であって、上記ユーザからの指示があったときの上記オブジェクトの現在位置を原点とする、上記枠表示手段と、
上記オブジェクトの短距離の移動に応答して、上記原点を端点として当該端点と上記オブジェクトの上記短距離の移動先の位置とを結ぶ半直線と上記枠との交点を上記オブジェクトの移動先として選択する選択手段と、
上記交点に上記オブジェクトを移動するオブジェクト移動手段と
を備えている。
【００２７】
本発明に従う第６の態様の上記電子装置は、
ユーザからの指示に応じて、表示画面枠上又はその近傍において、少なくとも１つの枠を表示する枠表示手段であって、上記ユーザからの指示があったときの上記オブジェクトの現在位置を原点とする、上記枠表示手段と、
上記原点を含み、上記枠に関連付けられた縮小表示又は、上記原点を含む円、楕円、略円若しくは略楕円を表示する縮小表示手段、又は、上記原点を中心として、上記枠に関連付けられた縮小表示又は、円、楕円、略円若しくは略楕円を表示する縮小表示手段と、
上記原点に収束するように上記枠を移動する枠移動手段と、
上記縮小表示内又は、上記円、楕円、略円若しくは略楕円内での上記オブジェクトの移動に応じて、上記原点を端点として当該端点と上記縮小表示内又は、上記円、楕円、略円若しくは略楕円内での上記オブジェクトの移動先の位置とを結ぶ半直線と上記枠との交点を、上記オブジェクトの移動先として選択する選択手段と、
上記縮小表示の枠上又は、円、楕円、略円若しくは略楕円の円周上を上記オブジェクトが通過することに応じて、上記交点に上記オブジェクトを移動するオブジェクト移動手段と
を備えている。
【００２８】
また、本発明の一つの実施態様において、上記電子装置が、上記原点を含み、上記枠に関連付けられた縮小表示又は、上記原点を含む円、楕円、略円若しくは略楕円を表示する縮小表示手段をさらに備えうる。
【００２９】
また、本発明の一つの実施態様において、上記電子装置が、上記原点を中心として、上記枠に関連付けられた縮小表示又は、円、楕円、略円若しくは略楕円を表示する縮小表示手段をさらに備えうる。
【００３０】
また、本発明の一つの実施態様において、上記選択手段が、上記縮小表示内又は、円、楕円、略円若しくは略楕円内での上記オブジェクトの移動に応じて、上記交点を変更しうる。
【００３１】
また、本発明の一つの実施態様において、上記オブジェクト移動手段が上記縮小表示の枠上又は、円、楕円、略円若しくは略楕円の円周上を上記オブジェクトが通過することに応じて、上記オブジェクトの移動を行いうる。
【００３２】
また、本発明の一つの実施態様において、上記枠移動手段が、上記枠を縮小又は拡大することによって上記枠の移動を行いうる。
【００３３】
また、本発明の一つの実施態様において、上記枠移動手段が、上記枠を自動的に縮小することによって上記枠の移動を行いうる。また、本発明の一つの実施態様において、上記枠移動手段が、上記枠をユーザによる操作に応じて縮小又は拡大することによって、上記枠の移動を行いうる。
【００３４】
また、本発明の一つの実施態様において、上記枠移動手段が、上記枠の移動を加速度的に行いうる。また、本発明の一つの実施態様において、上記枠移動手段が、上記枠の移動をユーザによる操作に応じて速度を下げること又は速度を上げることによって行いうる。
【００３５】
また、本発明の一つの実施態様において、上記枠が第１の電子装置の第１の表示画面上と第２の電子装置の第２の表示画面上に表示されている場合において、上記第１の電子装置が、上記第１の表示画面上に上記枠の一部を表示し、且つ、上記第２の電子装置が、上記第２の表示画面上に上記枠の残りを表示しうる。
【００３６】
また、本発明の一つの実施態様において、上記第１の電子装置が、上記原点、及び上記縮小表示又は、円、楕円、略円若しくは略楕円を上記第１の表示画面上に表示し、且つ、上記第２の電子装置が、上記交点を上記第２の表示画面上に表示しうる。
【００３７】
また、本発明の一つの実施態様において、上記第２の電子装置が、上記オブジェクトを上記交点に移動して表示しうる。
【００３８】
また、本発明の一つの実施態様において、上記枠表示手段が、上記オブジェクトの移動処理の開始を表す特定のユーザ操作に応答して、上記枠の表示を行いうる。
【００３９】
また、本発明の一つの実施態様において、上記枠が、１つの表示装置の表示画面の外周に対応付けられた形、若しくは、複数の表示装置の表示画面を組み合わせた外周に対応付けられた形、又は、少なくとも１つの円、楕円、略円若しくは略楕円でありうる。
【００４０】
また、本発明の一つの実施態様において、上記枠が上記表示画面の少なくとも１つの頂点を含みうる。
【００４１】
また、本発明の一つの実施態様において、上記移動対象であるオブジェクトが、カーソル、又は、ユーザが選択可能な移動対象でありうる。
【００４２】
本発明の実施態様に従う電子装置プログラムはそれぞれ、一つ又は複数のフレキシブル・ディスク、ＭＯ、ＣＤ−ＲＯＭ、ＤＶＤ、ＢＤ、ハードディスク装置、ＵＳＢに接続可能なメモリ媒体、ＲＯＭ、ＭＲＡＭ、ＲＡＭ等の任意の電子装置読み取り可能な記録媒体に格納することができる。当該電子装置プログラムは、記録媒体への格納のために、通信回線で接続する他のデータ処理システム、例えばサーバ・コンピュータからダウンロードしたり、又は他の記録媒体から複製したりすることができる。また、本発明の実施態様に従う電子装置プログラムは、圧縮し、又は複数に分割して、単一又は複数の記録媒体に格納することもできる。また、様々な形態で、本発明の実施態様に従う電子装置プログラム製品を提供することも勿論可能であることにも留意されたい。本発明の実施態様に従う電子装置プログラム製品は、例えば、上記電子装置プログラムを記録した記憶媒体、又は、上記電子装置プログラムを伝送する伝送媒体を包含しうる。
【００４３】
本発明の上記概要は、本発明の必要な特徴の全てを列挙したものではなく、これらの構成要素のコンビネーション又はサブコンビネーションもまた、本発明となりうることに留意すべきである。
【００４４】
本発明の実施態様において使用される電子装置の各ハードウェア構成要素を、複数のマシンと組み合わせ、それらに機能を配分し実施する等の種々の変更は当業者によって容易に想定され得ることは勿論である。それらの変更は、当然に本発明の思想に包含される概念である。ただし、これらの構成要素は例示であり、そのすべての構成要素が本発明の必須構成要素となるわけではない。
【００４５】
また、本発明は、ハードウェア、ソフトウェア、又は、ハードウェア及びソフトウェアの組み合わせとして実現可能である。ハードウェアとソフトウェアとの組み合わせによる実行において、上記電子装置プログラムのインストールされた電子装置における実行が典型的な例として挙げられる。かかる場合、当該電子装置プログラムが当該電子装置のメモリにロードされて実行されることにより、当該電子装置プログラムは、当該電子装置を制御し、本発明にかかる処理を実行させる。当該電子装置プログラムは、任意の言語、コード、又は、表記によって表現可能な命令群から構成されうる。そのような命令群は、当該電子装置が特定の機能を直接的に、又は、１．他の言語、コード若しくは表記への変換及び、２．他の媒体への複製、のいずれか一方若しくは双方が行われた後に、本発明の実施態様に従う処理を実行することを可能にするものである。
【発明の効果】
【００４６】
本発明の実施態様に従うと、上記移動対象を、目的の位置に精度良く乃至は効率良く移動させること、又は、ポインティング・デバイスの現在位置からあまり離れることなしに、当該ポインティング・デバイスの現在位置から遠くにある移動対象を選択したりすることが可能になる。
【００４７】
また、本発明の実施態様に従うと、タブレット端末やスマートフォンを片手で保持しながら、当該片手のみで操作が必要な場合において、上記移動対象を目的の位置に精度良く乃至は効率良く移動させること、又は、当該片手の指で届かない位置にある移動対象を操作したりすることが可能になる。
【００４８】
以上の通り、本発明は、ユーザビリティに優れた上記移動対象の移動技法を提供することを可能にする。
【図面の簡単な説明】
【００４９】
【図１Ａ】本発明の実施態様において使用されうる電子装置の一例を示した図である。
【図１Ｂ】本発明の実施態様において使用されうる電子装置の一例を示した図である。
【図２Ａ】ワイド型の液晶ディスプレイ上で、マウスを使用して、マウス・カーソル（移動対象であるオブジェクトである）の現在位置から遠くに離れているアイコンを選択したい場合の従来技術の例を示す。
【図２Ｂ】４つの液晶ディスプレイからなるマルチディスプレイ上で、マウスを使用して、ファイル・アイコン（移動対象であるオブジェクトである）を現在位置から遠くに離れているゴミ箱アイコンに移動したい場合の従来技術の例を示す。
【図２Ｃ】タブレット端末の表示装置上で、当該タブレット端末を片手で保持しながら、当該片手の指のみを使用して、当該タブレット端末上のアイコンを当該片手の指が届かない位置に移動したい場合の従来技術の例を示す。
【図２Ｄ】３台のタブレット端末の各表示画面を組み合わせてなる一つの表示画面（マルチディスプレイ）上で、一つのタブレット端末を両手で保持しながら、一方の手の指のみを使用して、当該一つのタブレット端末上にあるアイコンを別のタブレット上に移動したい場合の従来技術の例を示す。
【図２Ｅ】タブレット端末の表示装置上で、当該タブレット端末を片手で保持しながら、当該片手の指のみを使用して、当該タブレット端末上の当該指が届かない位置にあるアイコンを選択したい場合の従来技術の例を示す。
【図３Ａ】本発明の実施態様に従い、ワイド型の液晶ディスプレイ上で、マウスを使用して、マウス・カーソル（移動対象であるオブジェクトである）の現在位置から遠くに離れているアイコンを選択する場合の例を示す。
【図３Ｂ】本発明の実施態様に従い、ワイド型の液晶ディスプレイ上で、マウスを使用して、マウス・カーソル（移動対象であるオブジェクトである）の現在位置から遠くに離れているアイコンを選択する場合の例を示す。
【図３Ｃ】図３Ａ及び図３Ｂに示す本発明の実施態様において、オブジェクトの現在位置を原点とし、当該原点に収束するように表示した各種枠の例を示す。
【図３Ｄ】本発明の実施態様に従い、ワイド型の液晶ディスプレイ上で、マウスを使用して、マウス・カーソル（移動対象であるオブジェクトである）の現在位置から遠くに離れているアイコンを選択する場合の例を示す。
【図３Ｅ】本発明の実施態様に従い、ワイド型の液晶ディスプレイ上で、マウスを使用して、マウス・カーソル（移動対象であるオブジェクトである）の現在位置から遠くに離れているアイコンを選択する場合の例を示す。
【図４Ａ】本発明の実施態様に従い、４つの液晶ディスプレイからなるマルチディスプレイ上で、マウス・カーソルが現在位置から遠くに有る場合に、マウスを使用して、当該マウス・カーソル下のアイコン（移動対象であるオブジェクトである）を上記マウス・カーソルから離れた位置にあるゴミ箱に移動する場合の例を示す。
【図４Ｂ】本発明の実施態様に従い、４つの液晶ディスプレイからなるマルチディスプレイ上で、マウス・カーソルが現在位置から遠くに有る場合に、マウスを使用して、当該マウス・カーソル下のアイコン（移動対象であるオブジェクトである）を上記マウス・カーソルから離れた位置にあるゴミ箱に移動する場合の例を示す。
【図５Ａ】本発明の実施態様に従い、タブレット端末の表示装置上で、当該タブレット端末を片手で保持しながら、当該片手の指のみを使用して、当該タブレット端末上のアイコン（移動対象であるオブジェクトである）を当該片手の指が届かない位置に移動する場合の例を示す。
【図５Ｂ】本発明の実施態様に従い、タブレット端末の表示装置上で、当該タブレット端末を片手で保持しながら、当該片手の指のみを使用して、当該タブレット端末上のアイコン（移動対象であるオブジェクトである）を当該片手の指が届かない位置に移動する場合の例を示す。
【図６Ａ】本発明の実施態様に従い、３台のタブレット端末の各表示画面を組み合わせてなる一つの表示画面（マルチディスプレイ）上で、一つのタブレット端末を両手で保持しながら、一方の手の指のみを使用して、当該一つのタブレット端末上にあるアイコンを別のタブレット上に移動する場合の例を示す。
【図６Ｂ】本発明の実施態様に従い、３台のタブレット端末の各表示画面を組み合わせてなる一つの表示画面（マルチディスプレイ）上で、一つのタブレット端末を両手で保持しながら、一方の手の指のみを使用して、当該一つのタブレット端末上にあるアイコンを別のタブレット上に移動する場合の例を示す。
【図６Ｃ】図６Ａ及び図６Ｂに示す実施態様に従い移動したアイコンについて片手の指で操作する場合の例を示す。
【図６Ｄ】図６Ａ及び図６Ｂに示す本発明の実施態様において、３台のタブレット端末の各表示画面の枠が外周で一体化してなる枠の例を示す。
【図７Ａ】本発明の実施態様に従い、タブレット端末の表示装置上で、当該タブレット端末を片手で保持しながら、当該片手の指のみを使用して、当該タブレット端末上の当該指が届かない位置にあるアイコンを選択する場合の例を示す。
【図７Ｂ】本発明の実施態様に従い、タブレット端末の表示装置上で、当該タブレット端末を片手で保持しながら、当該片手の指のみを使用して、当該タブレット端末上の当該指が届かない位置にあるアイコンを選択する場合の例を示す。
【図７Ｃ】本発明の実施態様に従い、タブレット端末を片手で保持しながら、当該片手の指のみを使用して、当該タブレット端末上の当該指が届かない位置にあるアイコンを選択し、当該選択したアイコンについて上記片手の指で操作する場合の例を示す。
【図８Ａ】本発明の実施態様に従い、ワイド型の液晶ディスプレイ上で、マウスを使用して、マウス・カーソル（移動対象であるオブジェクトである）の現在位置から遠くに離れているアイコンを選択する場合の例であって、複数の枠を表示する例を示す。
【図８Ｂ】本発明の実施態様に従い、ワイド型の液晶ディスプレイ上で、マウスを使用して、マウス・カーソル（移動対象であるオブジェクトである）の現在位置から遠くに離れているアイコンを選択する場合の例であって、複数の枠を表示する例を示す。
【図９Ａ】本発明の実施態様に従い、表示画面上に表示された移動対象であるオブジェクトを移動するためのフローチャートであって、枠表示手段が枠を表示し且つ縮小表示表示手段が上記枠に関連付けられた縮小表示又は、円、楕円、略円若しくは略楕円を表示する処理を含むフローチャートを示す。
【図９Ｂ】本発明の実施態様に従い、表示画面上に表示された移動対象であるオブジェクトを移動するためのフローチャートであって、枠表示手段が枠を表示する処理を含むフローチャートを示す。
【図９Ｃ】本発明の実施態様に従い、表示画面上に表示された移動対象であるオブジェクトを移動するためのフローチャートであって、枠表示手段が少なくとも１つの特定された枠を表示し且つ縮小表示表示手段が上記枠に関連付けられた縮小表示又は、円、楕円、略円若しくは略楕円を表示する処理を含むフローチャートを示す。
【図９Ｄ】本発明の実施態様に従い、表示画面上に表示された移動対象であるオブジェクトを移動するためのフローチャートであって、枠表示手段が少なくとも１つの特定された枠を表示する処理を含むフローチャートを示す。
【図１０】図１Ａ又は図１Ｂに従うハードウェア構成を好ましくは備えており、本発明の実施態様に従う電子装置の機能ブロック図の一例を示した図である。
【発明を実施するための形態】
【００５０】
本発明の実施形態を、以下に図面に従って説明する。以下の図を通して、特に断らない限り、同一の符号は同一の対象を指す。本発明の実施形態は、本発明の好適な態様を説明するためのものであり、本発明の範囲をここで示すものに限定する意図はないことを理解されたい。
【００５１】
本発明の実施態様に従う電子装置は、移動対象であるオブジェクトを表示画面上に表示するものであれば特に限定されない。当該電子装置は例えば、例えば、デスクトップ・コンピュータ、ノート・コンピュータ若しくは一体型パソコン、又は、タブレット端末（例えば、アンドロイド（登録商標）端末、Ｗｉｎｄｏｗｓ（登録商標）タブレット、若しくはｉＯＳ端末）、スマートフォン、携帯電話、パーソナル・ディジタル・アシスタント（ＰＤＡ）、医療機器端末、ゲーム端末、カー・ナビゲーション・システム、ポータブル・ナビゲーション・システム若しくはキヨスク端末でありうる。
【００５２】
本発明の実施態様において、「移動対象であるオブジェクト」とは例えば、カーソル、又は、ユーザが選択可能な移動対象でありうる。
【００５３】
「カーソル」とは例えば、ポインティング・デバイスのカーソルでありうる。「ポインティング・デバイスのカーソル」は例えば、マウス、タッチ・パッド、ポインティング・スティック（トラック・ポイント）、ジョイスティック、トラックボール、タブレットペン又はライトペンのカーソルでありうる。
【００５４】
「ユーザが選択可能な移動対象」とは例えば、アイコンでありうる。「アイコン」は例えば、フォルダ・アイコン、ファイル・アイコン、ショートカット・アイコン、若しくはエイリアス・アイコン、又は、タッチパネル画面上に操作指又は操作ペン下に表示されるアイコン又はカーソルでありうる。
【００５５】
図１Ａ及び図１Ｂは、本発明の実施態様において使用されうる電子装置を実現するためのハードウェア構成を有する電子装置の一例を示した図である。
【００５６】
図１Ａは、上記電子装置のうち、例えばデスクトップ・コンピュータ、ノート・コンピュータ又は一体型パソコンの一例を示した図である。
【００５７】
電子装置（１０１）は、ＣＰＵ（１０２）とメイン・メモリ（１０３）とを備えており、これらはバス（１０４）に接続されている。ＣＰＵ（１０２）は好ましくは、３２ビット又は６４ビットのアーキテクチャに基づくものである。当該ＣＰＵ（１０２）は例えば、インテル社のＣｏｒｅ（商標）  ｉシリーズ、Ｃｏｒｅ（商標）  ２シリーズ、Ａｔｏｍ（商標）シリーズ、Ｘｅｏｎ（登録商標）シリーズ、Ｐｅｎｔｉｕｍ（登録商標）シリーズ若しくはＣｅｌｅｒｏｎ（登録商標）シリーズ、ＡＭＤ（Advanced Micro Devices）社のＡシリーズ、Ｐｈｅｎｏｍ（商標）シリーズ、Ａｔｈｌｏｎ（商標）シリーズ、Ｔｕｒｉｏｎ（商標）シリーズ若しくはＳｅｍｐｒｏｎ（商標）、又は、インターナショナル・ビジネス・マシーンズ・コーポレーションのＰｏｗｅｒ（商標）シリーズでありうる。
【００５８】
バス（１０４）には、ディスプレイ・コントローラ（１０５）を介して、ディスプレイ（１０６）、例えば液晶ディスプレイ（ＬＣＤ）が接続されうる。また、液晶ディスプレイ（ＬＣＤ）は例えば、タッチパネル・ディスプレイ又はフローティング・タッチ・ディスプレイであてもよい。ディスプレイ（１０６）は、電子装置（１０１）上で動作中のソフトウェア、例えば本発明の実施態様に従う電子装置、及び当該電子装置上で動作中の各電子装置プログラムが稼働することによって表示される上記移動対象であるオブジェクトを、適当なグラフィック・インタフェースで表示するために使用されうる。
【００５９】
バス（１０４）には任意的に、例えばＳＡＴＡ又はＩＤＥコントローラ（１０７）を介して、ディスク（１０８）、例えばハードディスク又はソリッド・ステート・ドライブ（ＳＳＤ）が接続されうる。
【００６０】
バス（１０４）には任意的に、例えばＳＡＴＡ又はＩＤＥコントローラ（１０７）を介して、ドライブ（１０９）、例えばＣＤ、ＤＶＤ又はＢＤドライブが接続されうる。
【００６１】
バス（１０４）には、周辺装置コントローラ（１１０）を介して、例えばキーボード・マウス・コントローラ又はＵＳＢバスを介して、任意的に、キーボード（１１１）及びマウス（１１２）が接続されうる。
【００６２】
ディスク（１０８）には、オペレーティング・システム、Ｗｉｎｄｏｗｓ（登録商標）ＯＳ、ＵＮＩＸ（登録商標）、Ｍａｃ  ＯＳ（登録商標）、及びＪ２ＥＥなどのＪａｖａ（登録商標）処理環境、Ｊａｖａ（登録商標）アプリケーション、Ｊａｖａ（登録商標）仮想マシン（ＶＭ）、Ｊａｖａ（登録商標）実行時（ＪＩＴ）コンパイラを提供するプログラム、本発明の実施態様に従うアプリケーション・プログラム、及びその他のプログラム、並びにデータが、メイン・メモリ（１０３）にロード可能なように記憶されうる。
【００６３】
ディスク（１０８）は、電子装置（１０１）内に内蔵されていてもよく、当該電子装置（１０１）がアクセス可能なようにケーブルを介して接続されていてもよく、又は、当該電子装置（１０１）がアクセス可能なように有線又は無線ネットワークを介して接続されていてもよい。
【００６４】
ドライブ（１０９）は、必要に応じて、ＣＤ−ＲＯＭ、ＤＶＤ−ＲＯＭ又はＢＤからプログラム、例えばオペレーティング・システム、アプリケーション又は本発明の実施態様に従う電子装置用プログラムをディスク（１０８）にインストールするために使用されうる。
【００６５】
通信インタフェース（１１４）は、例えばイーサネット（登録商標）・プロトコルに従う。通信インタフェース（１１４）は、通信コントローラ（１１３）を介してバス（１０４）に接続され、電子装置（１０１）を通信回線（１１５）に有線又は無線接続する役割を担い、電子装置（１０１）のオペレーティング・システムの通信機能のＴＣＰ／ＩＰ通信プロトコルに対して、ネットワーク・インタフェース層を提供する。なお、通信回線は例えば、無線ＬＡＮ接続規格に基づく無線ＬＡＮ環境、ＩＥＥＥ８０２．１１ａ／ｂ／ｇ／ｎなどのＷｉＦｉ無線ＬＡＮ環境、又は携帯電話網環境（例えば、３Ｇ又は４Ｇ環境）でありうる。
【００６６】
図１Ｂは、上記電子装置のうち、例えば、タブレット端末、スマートフォン、携帯電話、パーソナル・ディジタル・アシスタント（ＰＤＡ）、医療機器端末、ゲーム端末、カー・ナビゲーション・システム、ポータブル・ナビゲーション・システム若しくはキヨスク端末の一例を示した図である。
【００６７】
図１Ｂに示す電子装置（１２１）のＣＰＵ（１２２）、メイン・メモリ（１２３）、バス（１２４）、ディスプレイ・コントローラ（１２５）、ディスプレイ（１２６）、ＳＳＤ（１２８）、通信コントローラ（１３３）、通信インタフェース（１３４）及び通信回線（１３５）はそれぞれ、図１Ａに示す電子装置（１０１）のＣＰＵ（１０２）、メイン・メモリ（１０３）、バス（１０４）、ディスプレイ・コントローラ（１０５）、ディスプレイ（１０６）、ＳＳＤ（１０８）、通信コントローラ（１１３）、通信インタフェース（１１４）及び通信回線（１１５）に対応する。
【００６８】
タブレット端末等の場合、ＣＰＵ（１２２）は例えば、スマートフォン、携帯電話又はタブレット端末用のＣＰＵ、又はアップル社（登録商標）のＡシリーズでありうる。
【００６９】
ＳＳＤ（１２８）ディスクには例えば、スマートフォン用ＯＳ（例えば、アンドロイド（登録商標）ＯＳ、Ｗｉｎｄｏｗｓ（登録商標）ＰｈｏｎｅＯＳ若しくはＷｉｎｄｏｗｓ（登録商標）ＯＳ、又はｉＯＳ）、本発明の実施態様に従うアプリケーション・プログラム、及びその他のプログラム、並びにデータが、メイン・メモリ（１２３）にロード可能なように記憶されうる。
【００７０】
キーボード実現手段（１３０）は、アプリの一つとして、ディスプレイ（１２６）上にソフトウェアキーボードを表示する。
【００７１】
以下に示す図２Ａ〜図２Ｅは、移動対象であるオブジェクトを移動したり又は選択したりする従来技術の例を示す。
【００７２】
図２Ａは、ワイド型の液晶ディスプレイ上で、マウスを使用して、マウス・カーソル（移動対象であるオブジェクトである）の現在位置から遠くに離れているアイコンを選択したい場合の従来技術の例を示す。
【００７３】
ユーザは、アイコン（２０６）をマウスで選択したいとする。マウス・カーソル（２０５）の現在位置は、選択したいアイコン（２０６）から遠くに離れた位置にあるとする。
【００７４】
（Ａ）ユーザは、マウス・カーソル（２０５）を移動させるために、マウスパッド上でマウスを動かす（１回目操作）。その結果、マウスカーソル（２０５）が移動する（２０５−１）。しかし、マウス・カーソル（２０５）はまだ、選択したいアイコン（２０６）上に到達していない。
【００７５】
（Ｂ）ユーザは、再び、マウスパッド上でマウスを動かす（２回目操作）。その結果、マウスカーソル（２０５）が移動する（２０５−２）。しかし、マウス・カーソル（２０５）はまだ、選択したいアイコン（２０６）上に到達していない。
【００７６】
（Ｃ）ユーザは、再び、マウスパッド上でマウスを動かす（３回目操作）。その結果、マウスカーソル（２０５）が移動し（２０５−３）、選択したいアイコン（２０６）上に到達する。
【００７７】
（Ｄ）マウスカーソル（２０５）が、選択したいアイコン（２０６）上に到達したことを示す。
【００７８】
以上に説明した通り、図２Ａに示す例では、ユーザはマウスパッド上でマウスを３回動かして、アイコン（２０６）を選択することが可能になる。
【００７９】
図２Ｂは、４つの液晶ディスプレイからなるマルチディスプレイ上で、マウスを使用して、ファイル・アイコン（移動対象であるオブジェクトである）を現在位置から遠くに離れているゴミ箱アイコンに移動したい場合の従来技術の例を示す。
【００８０】
ユーザは、上記マルチディスプレイ上で、ファイル・アイコン（２１５）をゴミ箱アイコン（２１６）に移動したいとする。ファイル・アイコン（２１５）の現在位置は、ファイル・アイコン（２１５）を移動させたい場所（２１６）から遠くに離れた位置にあるとする。
【００８１】
（Ａ）ユーザは、ファイル・アイコン（２１５）をゴミ箱アイコン（２１６）に移動するために、ファイル・アイコン（２１５）をマウスで選択する。ファイル・アイコン（２１５）上には、マウス・カーソル（２１７）が表示されている。ユーザは、ファイル・アイコン（２１５）をマウスでドラッグしてマウスパッド上でマウスを動かす（１回目操作）。その結果、ファイル・アイコン（２１５）が移動する（２１７−１）。しかし、ファイル・アイコン（２１５）はまだ、ファイル・アイコン（２１５）を移動させたい場所（２１６）に到達していない。
【００８２】
（Ｂ）ユーザは、再び、ファイル・アイコン（２１５）をマウスでドラッグしながら、マウスパッド上でマウスを動かす（２回目操作）。その結果、ファイル・アイコン（２１５）が移動する（２１７−２）。しかし、ファイル・アイコン（２１５）はまだ、ファイル・アイコン（２１５）を移動させたい場所（２１６）に到達していない。
【００８３】
（Ｃ）ユーザは、再び、ファイル・アイコン（２１５）をマウスでドラッグしながら、マウスパッド上でマウスを動かす（３回目操作）。その結果、ファイル・アイコン（２１５）が移動する（２１７−３）。しかし、ファイル・アイコン（２１５）はまだ、ファイル・アイコン（２１５）を移動させたい場所（２１６）に到達していない。ユーザは、再び、ファイル・アイコン（２１５）をマウスでドラッグしながら、マウスパッド上でマウスを動かす（４回目操作）。ファイル・アイコン（２１５）が移動し（２１７−４）、ゴミ箱アイコン（２１６）に到達する。
【００８４】
（Ｄ）ファイル・アイコン（２１５）が、ゴミ箱アイコン（２１６）中に入ったことを示す。
【００８５】
以上に説明した通り、図２Ｂに示す例では、ユーザはマウスパッド上でマウスを４回動かして、ファイル・アイコン（２１５）をゴミ箱アイコン（２１６）に移動することが可能になる。
【００８６】
図２Ｃは、タブレット端末の表示装置上で、当該タブレット端末を片手で保持しながら、当該片手の指のみを使用して、当該タブレット端末上のアイコンを当該片手の指が届かない位置に移動したい場合の従来技術の例を示す。
【００８７】
ユーザは、左手（２５２）に鞄を持っている為に、タブレット端末（２３１）を右手（２５１）で保持している。ユーザは、当該右手（２５１）の指のみを使用して、アイコン（２４１）を表示画面の上方（２４２）に移動したいとする。
【００８８】
（Ａ）ユーザは、アイコン（２４１）を移動させたい場所（２４２）に移動させるために、アイコン（２４１）を右手（２５１）の人差し指又は親指で例えばタップ又はダブルタップする。しかしながら、右手（２５１）はタブレット端末（２３１）を保持しているので、当該右手（２５１）の人差し指又は親指は、アイコン（２４１）を移動させたい場所（２４２）に届かない。従って、ユーザは、タブレット端末（２３１）を保持したまま、アイコン（２４１）を移動させたい場所（２４２）に移動できない。
【００８９】
そこで、ユーザは、左手（２５２）に持つ鞄を一旦置いて、当該左手（２５２）でタブレット端末（２３１）を保持し、そして右手（２５１）でタブレット端末（２３１）を保持することなしに、右手（２５１）の人差し指又は親指でアイコン（２４１）を例えばタップ又はダブルタップし、当該人差し指又は親指を、アイコン（２４１）を移動させたい場所（２４２）までドラッグする。
【００９０】
（Ｂ）アイコン（２４１）が、当該アイコン（２４１）を移動させたい場所（２４２）に移動されたことを示す。
【００９１】
以上に説明した通り、図２Ｃに示す例では、ユーザは左手（２５２）に持つ鞄を一旦置くという動作を経て、アイコン（２４１）を移動することが可能になる。
【００９２】
図２Ｄは、３台のタブレット端末の各表示画面を組み合わせてなる一つの表示画面（マルチディスプレイ）上で、一つのタブレット端末を両手で保持しながら、一方の手の指のみを使用して、当該一つのタブレット端末上にあるアイコンを別のタブレット上に移動したい場合の従来技術の例を示す。複数のタブレット端末又はスマートフォン端末上でマルチティスプレイを実現する方法として例えば、「Ｐｉｎｃｈ」がある（例えば、非特許文献２〜４を参照）。
【００９３】
ユーザは、第１のタブレット端末（２４１−１）、第２のタブレット端末（２４１−２）、及びスマートフォン（２４１−３）の各表示画面をマルチディスプレイとして使用している。第１のタブレット端末（２４１−１）の重量が重い為に、ユーザは第１のタブレット端末（２４１−１）を両手で保持して操作する必要がある。
【００９４】
ユーザは、第１のタブレット端末（２４１−１）の表示画面の左下に表示されているアイコン（２５１）を、第２のタブレット端末（２４１−２）の右上方（２５２）に移動したいとする。
【００９５】
（Ａ）ユーザは、アイコン（２５１）を移動させたい場所（２５２）に移動させるために、アイコン（２５１）を左手（２６１）の人差し指又は親指で例えばタップ又はダブルタップする。しかしながら、左手（２６１）はタブレット端末（２４１−１）を保持しているので、当該左手（２６１）の人差し指又は親指は、アイコン（２５１）を移動させたい場所（２５２）に届かない。従って、ユーザは、タブレット端末（２４１−１）を保持したまま、アイコン（２５１）を、当該アイコン（２５１）を移動させたい場所（２５２）に移動できない（２５３，２５４）。
【００９６】
そこで、ユーザは、タブレット端末（２４１−１）を一旦机上に置いて、右手（２６２）の人差し指又は親指でアイコン（２５１）を例えばタップ又はダブルタップし、当該人差し指又は親指を、アイコン（２５１）を移動させたい場所（２５２）までドラッグする。
【００９７】
（Ｂ）アイコン（２５１）が、当該アイコン（２５１）を移動させたい場所（２５２）に移動されたことを示す。
【００９８】
以上に説明した通り、図２Ｄに示す例では、ユーザはタブレット端末（２４１−１）を一旦机上に置くという動作を経て、アイコン（２５１）を移動することが可能になる。
【００９９】
図２Ｅは、タブレット端末の表示装置上で、当該タブレット端末を片手で保持しながら、当該片手の指のみを使用して、当該タブレット端末上の当該指が届かない位置にあるアイコンを選択したい場合の従来技術の例を示す。
【０１００】
ユーザは、左手（２９２）で吊革を握っている為に、タブレット端末（２７１）を右手（２９１）で保持している。ユーザは、当該右手（２９１）の指のみを使用して、左上方にあるアイコン（２８１）を選択したいとする。
【０１０１】
（Ａ）ユーザは、右手（２９１）でタブレット端末（２７１）を保持しているので、当該右手（２５１）の人差し指又は親指は、選択したいアイコン（２８１）上に届かない。従って、ユーザは、タブレット端末（２７１）を保持したまま、アイコン（２８１）を選択できない。
【０１０２】
そこで、ユーザは、左手（２９２）で握っている吊革を一旦離して、当該左手（２９２）でタブレット端末（２７１）を保持し、そして右手（２９１）でタブレット端末（２７１）を保持することなしに、右手（２７１）の人差し指又は親指でアイコン（２８１）を例えばタップ又はダブルタップする。
【０１０３】
（Ｂ）アイコン（２８１）が、右手（２７１）の人差し指又は親指で選択されたことを示す。
【０１０４】
以上に説明した通り、図２Ｅに示す例では、ユーザは左手（２９２）で握っている吊革を一旦離すという動作を経て、アイコン（２８１）を選択することが可能になる。
【０１０５】
以下に示す図３Ａ〜図３Ｃ、図３Ｄ〜図３Ｅ、図４Ａ〜図４Ｂ、図５Ａ〜図５Ｂ、図６Ａ〜図６Ｂ及び図６Ｄ、図７Ａ〜図７Ｂ、並びに図８Ａ〜図８Ｂは、本発明の実施態様に従い、表示画面上に表示された移動対象であるオブジェクトを移動する方法を示す。なお、本実施態様は例示であって、マウスの操作方法又はタブレットの操作方法を本実施態様に記載の態様に限定するものではないことに留意されたい。当業者は、本発明の実施態様に従い、マウスの操作方法又はタブレットの操作方法を適宜変更しうる。
【０１０６】
図３Ａ及び図３Ｂは、本発明の実施態様に従い、ワイド型の液晶ディスプレイ上で、マウスを使用して、マウス・カーソル（移動対象であるオブジェクトである）の現在位置から遠くに離れているアイコンを選択する場合の例を示す。
【０１０７】
ユーザは、アイコン（３１２）をマウスで選択したいとする。マウス・カーソル（３１１）の現在位置は、選択したいアイコン（３１２）から遠くに離れた位置にあるとする。
【０１０８】
（Ａ）ユーザは、マウスの左ボタンをプレスする（３２１）。電子装置（１０１）は、当該マウスのプレスの検出を受信する。
【０１０９】
（Ｂ）ユーザは、マウスの左ボタンをプレス中である（３２２）。電子装置（１０１）は、上記プレスの検出を受信することに応じて、表示画面枠上又はその近傍に、枠（３１３）を表示する。枠（３１３）は、表示画面の枠の形状の縮小形又は略縮小形に対応するものであり、例えば長方形である。表示画面の枠の形状の縮小形又は略縮小形に対応するとは、表示画面の外周に対応付けられた形でありうる。なお、当該枠は、表示画面の枠の形状に対応するものでなくともよく、任意の形の枠、例えば円状（下記図６Ａを参照）、略円状、楕円状、又は略楕円状の枠であってもよい。
【０１１０】
また、電子装置（１０１）は、上記プレスの検出を受信することに応じて、上記プレスの検出を受信した際のマウス・カーソル（３１１）の位置を原点として、小円（３１４）を表示する。当該小円（３１４）は、マウスの移動が少しで済むような大きさであればよく、例えばマウスパッド上で１回の移動で当該円の周上を通過できるような大きさであればよい。
【０１１１】
電子装置（１０１）は、枠（３１３）を表示画面枠上又はその近傍に表示した後に、当該枠（３１３）を表示画面の内側に向けて自動的に移動する（３１３−ａ，−ｂ，−ｃ，及び−ｄ）。電子装置（１０１）は、上記枠（３１３）を、上記プレスの検出を受信した際のマウス・カーソルの位置を原点とし、当該原点に収束するように当該枠（３１３）を移動する。電子装置（１０１）は、枠（３１３）が内側に移動するほど当該枠（３１３）の移動を例えば加速的に速くなるようにしうる。または、電子装置（１０１）は、ユーザによる例えばマウス又はキーボード操作によって、当該枠（３１３）の移動を速くしたり、遅くしたり、又は停止するようにしうる。上記枠（３１３）を内側に向けて移動することにより、当該枠（３１３）は徐々に縮小表示されていく。代替的には、ユーザは、マウスのホイールボタンを前後にスライドさせることによって、表示画面枠上又はその近傍に表示された枠（３１３）が選択したいアイコン（３１２）上に重畳して表示されるように、当該枠（３１３）を手動的に移動する。ユーザは、例えば、上記ホイールボタンを後ろにスライドさせることによって枠（３１３）を縮小移動させ、一方、当該ホイールボタンを前にスライドさせることによって枠（３１３）を拡張移動させることが可能である。電子装置（１０１）は、ユーザのマウス操作に応答して、上記枠（３１３）を縮小表示しながら又は拡張表示しながら移動しうる。
【０１１２】
（Ｃ）ユーザは、選択したいアイコン（３１２）上に枠（３１３）があること（すなわち、上記枠（３１３）が選択したいアイコン（３１２）と重畳して表示されていること）（３１３−１）に応じて、マウスの左ボタンをリリースする（３２３）。なお、電子装置（１０１）が枠（３１３）を自動的に内側に向けて移動している場合において、当該枠（３１３）が選択したいアイコン（３１２）上を通り過ぎて縮小された場合には、ユーザは、マウスの左ボタンをプレスしながら、マウスのホイールボタンを前にスライドさせることによって枠（３１３）を選択したいアイコン（３１２）上に拡張表示して移動することが可能である。
【０１１３】
（Ｄ）ユーザは、マウス・カーソルの移動先を決定する為に、マウスの左ボタンを再びプレスし、そしてマウスの左ボタンをプレスしながら、マウスを上記小円（３１４）内で移動する。電子装置（１０１）は、マウスの左ボタンがプレス中であり且つマウス・カーソルが上記小円（３１４）内で移動すること（３２４）に応じて、上記原点を端点として、当該端点とマウス・カーソルの移動先の現在位置とを結ぶ半直線（３１５−１）を求める。電子装置（１０１）は、当該半直線（３１５−１）を表示装置上に表示するようにしてもよい。また、電子装置（１０１）は、当該半直線（３１５−１）と上記枠（３１３−１）との交点（３１６−１）を求める。電子装置（１０１）は、当該交点（３１６−１）を特定する為の記述を表示装置上に表示するようにしてもよい。当該記述は例えば、電子装置（１０１）が交点（３１６−１）を移動先候補としてユーザが認識しやすいような表示、例えば交点を示すアイコンでありうる。但し、電子装置（１０１）は、上記半直線（３１５−１）を表示装置上に表示している場合には、上記交点（３１６−１）を特定する記述を上記表示装置上に表示する必要は必ずしもない。なぜならば、上記半直線（３１５−１）と上記枠（３１３−１）とが交差する点が、交点（３１６−１）であるからである。
【０１１４】
（Ｅ）ユーザは、選択したいアイコン（３１２）上に上記交点（３１６−１）がないことから、再び、マウスの左ボタンをプレスしながら、マウスを上記小円（３１４）内で移動する。電子装置（１０１）は、マウスの左ボタンがプレス中であり且つマウス・カーソルが上記小円（３１４）内で移動すること（３２５）に応じて、上記原点を端点として、当該端点とマウス・カーソルの移動先の現在位置とを結ぶ半直線（３１５−２）を表示する。また、電子装置（１０１）は、当該半直線（３１５−２）と上記枠（３１３−１）との交点（３１６−２）を求める。また、電子装置（１０１）は、交点（３１６−２）を移動先候補としてユーザが認識しやすいような表示を表示してもよい。
【０１１５】
（Ｆ）ユーザは、選択したいアイコン（３１２）上に上記交点（３１６−２）がないことから、再び、マウスの左ボタンをプレスしながら、マウスを上記小円（３１４）内で移動する。電子装置（１０１）は、マウスの左ボタンがプレス中であり且つマウス・カーソルが上記小円（３１４）内で移動すること（３２６）に応じて、上記原点を端点として、当該端点とマウス・カーソルの移動先の現在位置とを結ぶ半直線（３１５−３）を表示する。また、電子装置（１０１）は、当該半直線（３１５−３）と上記枠（３１３−１）との交点（３１６−３）を求める。また、電子装置（１０１）は、交点（３１６−３）を移動先候補としてユーザが認識しやすいような表示を表示してもよい。
【０１１６】
（Ｇ）ユーザは、選択したいアイコン（３１２）上に上記交点（３１６−３）があること（すなわち、上記交点（３１６−３）が選択したいアイコン（３１２）と重畳して表示されていること）から、マウスを上記半直線（３１５−３）に沿って移動し、上記小円（３１４）の枠（すなわち、円周）上を通過するようにマウスの左ボタンをプレスしなから移動する（３２７）。電子装置（１０１）は、マウスの移動に応じて、マウス・カーソル（３１１）が上記円周上を通過したことを検出する。
【０１１７】
電子装置（１０１）は、上記マウス・カーソル（３１１）が上記円周上を通過したことを検出することに応じて、マウス・カーソル（３１１）を上記交点（３１６−３）に又はマウス・カーソル（３１１）が上記円周上を通過した際の半直線と枠（３１３−１）との交点にジャンプするように移動させる。代替的には、電子装置（１０１）は、上記マウス・カーソルが上記円周上を通過したことを検出することに応じて、マウス・カーソル（３１１）を上記交点（３１６−３）に徐々に又は加速度的に移動するように（例えば、マウス・カーソル（３１１）の軌跡を残しながら）又はマウス・カーソル（３１１）が上記円周上を通過した際の半直線と枠（３１３−１）との交点に徐々に又は加速度的に移動するように（例えば、マウス・カーソル（３１１）の軌跡を残しながら）表示して移動させる。
【０１１８】
（Ｈ）電子装置（１０１）は、アイコン（３１２）上にマウス・カーソル（３１１）を表示する。また、電子装置（１０１）は、小円（３１４）、枠（３１３−１）、及び半直線（３１５−３）を表示画面上から消去する。
【０１１９】
ユーザは、マウス・カーソル（３１１）が上記交点（３１６−３）又はマウス・カーソル（３１１）が上記円周上を通過した際の半直線と枠（３１３−１）との交点に移動したことに応答して、マウスの左ボタンをリリースする（３２８）。
【０１２０】
以上に説明した通り、図３Ａ及び図３Ｂに示す実施態様では、ユーザは、マウス・カーソルの現在位置から遠くに離れているアイコンを精度良く乃至は効率良く選択することが可能になる。
【０１２１】
図３Ｃは、図３Ａに示す枠（３１３）の異なる実施態様を示す。
【０１２２】
（Ｂ−１）電子装置（１０１）は、マウスの左ボタンのプレスの検出を受信することに応じて、上記プレスの検出を受信した際のマウス・カーソル（３１１）の位置を原点として、楕円（３１４−１）を表示する。当該楕円（３１４−１）は、マウスの移動が少しで済むような大きさであればよく、例えばマウスパッド上で１回の移動で当該楕円の周上を通過できるような大きさであればよい。
【０１２３】
（Ｂ−２）電子装置（１０１）は、マウスの左ボタンのプレスの検出を受信することに応じて、上記プレスの検出を受信した際のマウス・カーソル（３１１）の位置を原点として、長方形（３１４−２）を表示する。当該長方形（３１４−２）は、表示画面の枠の長方形に対応していなくともよい。当該長方形（３１４−２）は、マウスの移動が少しで済むような大きさであればよく、例えばマウスパッド上で１回の移動で当該長方形の周上を通過できるような大きさであればよい。
【０１２４】
（Ｂ−３）電子装置（１０１）は、マウスの左ボタンのプレスの検出を受信することに応じて、長方形（３１４−３）を表示する。当該長方形（３１４−３）は、枠（３１３）の長方形に対応しており（すなわち、縮小表示である）、且つ、当該長方形（３１４−３）内でのマウス・カーソル（３１１）の現在位置（原点）は、枠（３１３）内でのマウス・カーソル（３１１）の現在位置に対応する。代替的には、当該長方形（３１４−３）は、表示画面の長方形に対応しており（すなわち、縮小表示である）、且つ、当該長方形（３１４−３）内でのマウス・カーソル（３１１）の現在位置（原点）は、表示画面内でのマウス・カーソル（３１１）の現在位置に対応する。当該長方形（３１４−３）は、マウスの移動が少しで済むような大きさであればよく、例えばマウスパッド上で１回の移動で当該長方形の周上を通過できるような大きさであればよい。
【０１２５】
図３Ｄ及び図３Ｅは、本発明の実施態様に従い、ワイド型の液晶ディスプレイ上で、マウスを使用して、マウス・カーソル（移動対象であるオブジェクトである）の現在位置から遠くに離れているアイコンを選択する場合の例を示す。
【０１２６】
ユーザは、アイコン（３５２）をマウスで選択したいとする。マウス・カーソル（３５１）の現在位置は、選択したいアイコン（３５２）から遠くに離れた位置にあるとする。
【０１２７】
（Ａ）ユーザは、マウスの左ボタンをプレスする（３６１）。電子装置（１０１）は、当該マウスのプレスの検出を受信する。
【０１２８】
（Ｂ）ユーザは、マウスの左ボタンをプレス中である（３６２）。電子装置（１０１）は、上記プレスの検出を受信することに応じて、表示画面枠上又はその近傍に、枠（３５３）を表示する。枠（３５３）は、表示画面の枠の形状の縮小形又は略縮小形に対応するものであり、例えば長方形である。なお、当該枠は、表示画面の枠の形状に対応するものでなくともよく、任意の形の枠、例えば円状（下記図６Ａを参照）、略円状、楕円状、又は略楕円状であってもよい。
【０１２９】
電子装置（１０１）は、枠（３５３）を表示画面枠上又はその近傍に表示した後に、当該枠（３５３）を表示画面の内側に向けて自動的に移動する（３５３−ａ，−ｂ，−ｃ，及び−ｄ）。電子装置（１０１）は、上記枠（３５３）を、上記プレスの検出を受信した際のマウス・カーソルの位置を原点とし、当該原点に収束するように当該枠（３５３）を移動する。電子装置（１０１）は、枠（３５３）が内側に移動するほど当該枠（３５３）の移動を例えば加速的に速くなるようにしうる。または、電子装置（１０１）は、ユーザによる例えばマウス又はキーボード操作によって、当該枠（３５３）の移動を速くしたり、遅くしたり、又は停止するようにしうる。上記枠（３５３）を内側に向けて移動することにより、当該枠（３５３）は徐々に縮小表示されていく。代替的には、ユーザは、マウスのホイールボタンを前後にスライドさせることによって、表示画面枠上又はその近傍に表示された枠（３５３）が選択したいアイコン（３５２）上に重畳して表示されるように、当該枠（３５３）を手動的に移動する。ユーザは、例えば、上記ホイールボタンを後ろにスライドさせることによって枠（３５３）を縮小移動させ、一方、当該ホイールボタンを前にスライドさせることによって枠（３５３）を拡張移動させることが可能である。電子装置（１０１）は、ユーザのマウス操作に応答して、上記枠（３５３）を縮小表示しながら又は拡張表示しながら移動しうる。
【０１３０】
（Ｃ）ユーザは、選択したいアイコン（３５２）上に枠（３５３）があること（すなわち、上記枠（３５３）が選択したいアイコン（３５２）と重畳して表示されていること）（３５３−１）に応じて、マウスの左ボタンをリリースする（３６３）。なお、電子装置（１０１）が枠（３５３）を自動的に内側に向けて移動している場合において、当該枠（３５３）が選択したいアイコン（３５２）上を通り過ぎて縮小された場合には、ユーザは、マウスの左ボタンをプレスしながら、マウスのホイールボタンを前にスライドさせることによって枠（３５３）を選択したいアイコン（３５２）上に拡張表示して移動することが可能である。
【０１３１】
（Ｄ）ユーザは、マウス・カーソルの移動先を決定する為に、マウスの左ボタンを再びプレスし、そしてマウスの左ボタンをプレスしながら、マウスを上記原点の近傍で移動する。当該近傍は、マウスの移動が少しで済むような距離であればよく、例えばマウスパッド上で１回の移動で当該近傍を移動できるような距離でありうる。例えば、当該近傍は、上記図３Ａで示した小円（３１４）の範囲に対応するようにしてもよい。電子装置（１０１）は、マウスの左ボタンがプレス中であり且つマウス・カーソルが上記近傍で移動することに応じて、上記原点を端点として、当該端点とマウス・カーソルの移動先の現在位置とを結ぶ半直線（３５５−１）を求める。電子装置（１０１）は、当該半直線（３５５−１）を表示装置上に表示するようにしてもよい。また、電子装置（１０１）は、当該半直線（３５５−１）と上記枠（３５３−１）との交点（３５６−１）を求める。電子装置（１０１）は、当該交点（３５６−１）を特定する為の記述を表示装置上に表示するようにしてもよい。当該記述は例えば、電子装置（１０１）が交点（３５６−１）を移動先候補としてユーザが認識しやすいような表示、例えば交点を示すアイコンでありうる。但し、電子装置（１０１）は、上記半直線（３５５−１）を表示装置上に表示している場合には、上記交点（３５６−１）を特定する記述を上記表示装置上に表示する必要は必ずしもない。なぜならば、上記半直線（３５５−１）と上記枠（３５３−１）とが交差する点が、交点（３５６−１）であるからである。
【０１３２】
（Ｅ）ユーザは、選択したいアイコン（３５２）上に上記交点（３５６−１）がないことから、再び、マウスの左ボタンをプレスしながら、マウスを上記近傍で移動する。電子装置（１０１）は、マウスの左ボタンがプレス中であり且つマウス・カーソルが上記近傍で移動すること（３６５）に応じて、上記原点を端点として、当該端点とマウス・カーソルの移動先の現在位置とを結ぶ半直線（３５５−２）を表示する。また、電子装置（１０１）は、当該半直線（３５５−２）と上記枠（３５３−１）との交点（３５６−２）を求める。また、電子装置（１０１）は、交点（３５６−２）を移動先候補としてユーザが認識しやすいような表示を表示してもよい。
【０１３３】
（Ｆ）ユーザは、選択したいアイコン（３５２）上に上記交点（３５６−２）がないことから、再び、マウスの左ボタンをプレスしながら、マウスを上記近傍で移動する。電子装置（１０１）は、マウスの左ボタンがプレス中であり且つマウス・カーソルが上記近傍で移動すること（３６６）に応じて、上記原点を端点として、当該端点とマウス・カーソルの移動先の現在位置とを結ぶ半直線（３５５−３）を表示する。また、電子装置（１０１）は、当該半直線（３５５−３）と上記枠（３５３−１）との交点（３５６−３）を求める。また、電子装置（１０１）は、交点（３５６−３）を移動先候補としてユーザが認識しやすいような表示を表示してもよい。
【０１３４】
（Ｇ）ユーザは、選択したいアイコン（３５２）上に上記交点（３５６−３）があること（すなわち、上記交点（３５６−３）が選択したいアイコン（３５２）と重畳して表示されていること）から、マウスを上記半直線（３５５−３）に沿って加速度的に移動する（３６７）。電子装置（１０１）は、マウスが加速度的に一定距離、例えば一定ピクセル分移動したことを検出しうる。
【０１３５】
電子装置（１０１）は、マウス・カーソル（３５１）が上記加速度的に一定距離分移動したことを検出することに応じて、当該マウス・カーソル（３５１）を上記交点（３５６−３）にジャンプするように移動させる。例えば、電子装置（１０１）は、マウス・カーソル（３５１）が上記加速度的に一定距離分移動したことを検出することに応じて、マウス・カーソル（３５１）を上記交点（３５６−３）に徐々に又は加速度的に移動するように（例えば、マウス・カーソル（３５１）の軌跡を残しながら）表示して移動させる。
【０１３６】
代替的には、電子装置（１０１）は、マウスが所定の加速度以上で移動したことを検出しうる。
【０１３７】
電子装置（１０１）は、マウスが上記所定の加速度以上で移動したことを検出することに応じて、当該マウス・カーソル（３５１）を上記交点（３５６−３）にジャンプするように移動させる。
【０１３８】
代替的には、ユーザは、選択したいアイコン（３５２）上に上記交点（３５６−３）があること（すなわち、上記交点（３５６−３）が選択したいアイコン（３５２）と重畳して表示されていること）から、マウスの特定の操作（例えば、特定のボタンのプレス）又はキーボードの特定の操作（例えば、特定のファンクション・キーのプレス）を行う。電子装置（１０１）は、上記ユーザによる上記特定の操作を検出しうる。
【０１３９】
電子装置（１０１）は、上記特定の操作を検出することに応じて、当該マウス・カーソル（３５１）を上記交点（３５６−３）にジャンプするように移動させる。
【０１４０】
電子装置（１０１）は、マウス・カーソル（３５１）が上記加速度的に一定距離分移動したことを検出することに応じて又は上記ユーザによる特定の操作を検出することに応じて、当該マウス・カーソル（３５１）を上記交点（３５６−３）にジャンプするように移動させる。例えば、電子装置（１０１）は、マウス・カーソル（３５１）が上記加速度的に一定距離分移動したことを検出することに応じて又は上記ユーザによる特定の操作を検出することに応じて、マウス・カーソル（３５１）を上記交点（３５６−３）に徐々に又は加速度的に移動するように（例えば、マウス・カーソル（３５１）の軌跡を残しながら）表示して移動させる。
【０１４１】
（Ｈ）電子装置（１０１）は、アイコン（３５２）上にマウス・カーソル（３５１）を表示する。また、電子装置（１０１）は、枠（３５３−１）、及び半直線（３５５−３）を表示画面上から消去する。
【０１４２】
ユーザは、マウス・カーソル（３５１）が上記交点（３５６−３）に移動したことに応答して、マウスの左ボタンをリリースする（３６８）。
【０１４３】
以上に説明した通り、図３Ｄ及び図３Ｅに示す実施態様では、ユーザは、マウス・カーソルの現在位置から遠くに離れているアイコンを精度良く乃至は効率良く選択することが可能になる。
【０１４４】
図４Ａ及び図４Ｂは、本発明の実施態様に従い、４つの液晶ディスプレイからなるマルチディスプレイ上で、マウス・カーソルが現在位置から遠くに有る場合に、マウスを使用して、当該マウス・カーソル下のアイコン（移動対象であるオブジェクトである）を上記マウス・カーソルから離れた位置にあるゴミ箱に移動する場合の例を示す。
【０１４５】
ユーザは、上記マルチディスプレイ上で、ファイル・アイコン（４１１）をゴミ箱アイコン（４１２）に移動したいとする。ファイル・アイコン（４１１）の現在位置は、ゴミ箱アイコン（４１２）から遠くに離れた位置にあるとする。
【０１４６】
（Ａ）ユーザは、マウスの左ボタンをプレスする（４２１）。電子装置（１０１）は、当該マウスのプレスの検出を受信する。
【０１４７】
（Ｂ）ユーザは、マウスの左ボタンをプレス中である（４２２）。電子装置（１０１）は、上記プレスの検出を受信することに応じて、表示画面枠上又はその近傍に、枠（４１３）を表示する。枠（４１３）は、表示画面の枠の形状の縮小形又は略縮小形に対応するものであり、例えば長方形である。なお、当該枠は、表示画面の枠の形状に対応するものでなくともよく、任意の形の枠、例えば円状（下記図６Ａを参照）、略円状、楕円状、又は略楕円状であってもよい。
【０１４８】
また、電子装置（１０１）は、上記プレスの検出を受信することに応じて、上記プレスの検出を受信した際のマウス・カーソル（４１７）の位置を原点として、楕円（４１４）（横長の楕円）を表示する。当該楕円（４１４）は、マウスの移動が少しで済むような大きさであればよく、例えばマウスパッド上で１回の移動で当該円の周上を通過できるような大きさであればよい。
【０１４９】
電子装置（１０１）は、枠（４１３）を表示画面枠上又はその近傍に表示した後に、当該枠（４１３）を表示画面の内側に向けて自動的に移動する（４１３−ａ，−ｂ，−ｃ，及び−ｄ）。電子装置（１０１）は、上記枠（４１３）を、上記プレスの検出を受信した際のマウス・カーソルの位置を原点とし、当該原点に収束するように当該枠（４１３）を移動する。電子装置（１０１）は、枠（４１３）が内側に移動するほど当該枠（４１３）の移動を例えば加速的に速くなるようにしうる。または、電子装置（１０１）は、ユーザによる例えばマウス又はキーボード操作によって、当該枠（４１３）の移動を速くしたり、遅くしたり、又は停止するようにしうる。上記枠（４１３）を内側に向けて移動することにより、当該枠（４１３）は徐々に縮小表示されていく。代替的には、ユーザは、マウスのホイールボタンを前後にスライドさせることによって、表示画面枠上又はその近傍に表示された枠（４１３）が、ファイル・アイコン（４１１）を移動させたい場所であるゴミ箱アイコン（４１２）に重畳して表示されるように、当該枠（４１３）を手動的に移動する。ユーザは、例えば、上記ホイールボタンを後ろにスライドさせることによって枠（４１３）を縮小移動させ、一方、当該ホイールボタンを前にスライドさせることによって枠（４１３）を拡張移動させることが可能である。電子装置（１０１）は、ユーザのマウス操作に応答して、上記枠（４１３）を縮小表示しながら又は拡張表示しながら移動しうる。
【０１５０】
（Ｃ）ユーザは、ファイル・アイコン（４１１）を移動させたい場所であるゴミ箱アイコン（４１２）上に枠（４１３）が重畳して表示されること（４１３−１）に応じて、マウスの左ボタンをリリースする（４２３）。なお、電子装置（１０１）が枠（４１３）を自動的に内側に向けて移動している場合において、ファイル・アイコン（４１１）を移動させたい場所であるゴミ箱アイコン（４１２）上を上記枠（４１３）が通り過ぎて縮小された場合には、ユーザは、マウスの左ボタンをプレスしながら、マウスのホイールボタンを前にスライドさせることによって枠（４１３）を、ファイル・アイコン（４１１）を移動させたい場所であるゴミ箱アイコン（４１２）上に拡張表示して移動することが可能である。
【０１５１】
（Ｄ）ユーザは、ファイル・アイコン（４１１）の移動先を決定する為に、マウスの左ボタンを再びプレスし、そしてマウスの左ボタンをプレスしながら、マウスを上記楕円（４１４）内で移動する。電子装置（１０１）は、マウスの左ボタンがプレス中であり且つマウス・カーソルが上記楕円（４１４）内で移動すること（４２４）に応じて、上記原点を端点として、当該端点とマウス・カーソルの移動先の現在位置とを結ぶ半直線（４１５−１）を求める。電子装置（１０１）は、当該半直線（４１５−１）を表示装置上に表示するようにしてもよい。また、電子装置（１０１）は、当該半直線（４１５−１）と上記枠（４１３−１）との交点（４１６−１）を求める。電子装置（１０１）は、当該交点（４１６−１）を特定する為の記述を表示装置上に表示するようにしてもよい。当該記述は例えば、電子装置（１０１）が交点（４１６−１）を移動先候補としてユーザが認識しやすいような表示、例えば交点を示すアイコンでありうる。但し、電子装置（１０１）は、上記半直線（４１５−１）を表示装置上に表示している場合には、上記交点（４１６−１）を特定する記述を上記表示装置上に表示する必要は必ずしもない。なぜならば、上記半直線（４１５−１）と上記枠（４１３−１）とが交差する点が、交点（４１６−１）であるからである。
【０１５２】
（Ｅ）ユーザは、ファイル・アイコン（４１１）を移動させたい場所であるゴミ箱アイコン（４１２）上に上記交点（４１６−１）がないことから、再び、マウスの左ボタンをプレスしながら、マウスを上記楕円（４１４）内で移動する。電子装置（１０１）は、マウスの左ボタンがプレス中であり且つマウス・カーソルが上記楕円（４１４）内で移動すること（３２５）に応じて、上記原点を端点として、当該端点とマウス・カーソルの移動先の現在位置とを結ぶ半直線（４１５−２）を表示する。また、電子装置（１０１）は、当該半直線（４１５−２）と上記枠（４１３−１）との交点（４１６−２）を求める。また、電子装置（１０１）は、交点（４１６−２）を移動先候補としてユーザが認識しやすいような表示を表示してもよい。
【０１５３】
（Ｆ）ユーザは、ファイル・アイコン（４１１）を移動させたい場所であるゴミ箱アイコン（４１２）上に上記交点（４１６−２）がないことから、再び、マウスの左ボタンをプレスしながら、マウスを上記楕円（４１４）内で移動する。電子装置（１０１）は、マウスの左ボタンがプレス中であり且つマウス・カーソルが上記楕円（４１４）内で移動すること（４２６）に応じて、上記原点を端点として、当該端点とマウス・カーソルの移動先の現在位置とを結ぶ半直線（４１５−３）を表示する。また、電子装置（１０１）は、当該半直線（４１５−３）と上記枠（４１３−１）との交点（４１６−３）を求める。また、電子装置（１０１）は、交点（４１６−３）を移動先候補としてユーザが認識しやすいような表示を表示してもよい。
【０１５４】
（Ｇ）ユーザは、ファイル・アイコン（４１１）を移動させたい場所であるゴミ箱アイコン（４１２）上に上記交点（４１６−３）があること（すなわち、上記交点（４１６−３）がファイル・アイコン（４１１）を移動させたい場所であるゴミ箱アイコン（４１２）と重畳して表示されていること）から、マウスを上記半直線（４１５−３）に沿って移動し、上記楕円（４１４）の枠（すなわち、楕円の外周）上を通過するようにマウスの左ボタンをプレスしなから移動する（４２７）。電子装置（１０１）は、マウスの移動に応じて、マウス・カーソル（４１７）が上記楕円の外周上を通過したことを検出する。
【０１５５】
電子装置（１０１）は、上記マウス・カーソル（４１７）が上記楕円の外周上を通過したことを検出することに応じて、マウス・カーソル（４１７）を上記交点（４１６−３）又はマウス・カーソル（４１７）が上記楕円の外周上を通過した際の半直線と枠（４１３−１）との交点にジャンプするように移動させる。代替的には、電子装置（１０１）は、上記マウス・カーソルが上記楕円の外周上を通過したことを検出することに応じて、マウス・カーソル（４１７）を上記交点（４１６−３）に徐々に又は加速度的に移動するように（例えば、マウス・カーソル（４１７）の軌跡を残しながら）又はマウス・カーソル（４１７）が上記楕円の外周上を通過した際の半直線と枠（４１３−１）との交点に徐々に又は加速度的に移動するように（例えば、マウス・カーソル（４１７）の軌跡を残しながら）表示して移動させる。
【０１５６】
（Ｈ）電子装置（１０１）は、ゴミ箱アイコン（４１２）内にファイル・アイコン（４１１）を入れる（表示画面上でファイル・アイコン（４１１）は実際には見えない）。また、ファイル・アイコン（４１１）上にはマウス・カーソル（４１７）が重畳して表示されているので、電子装置（１０１）は、マウス・カーソル（４１７）をゴミ箱アイコン（４１２）上に移動する。また、電子装置（１０１）は、楕円（４１４）、枠（４１３−１）、及び半直線（４１５−３）を表示画面上から消去する。
【０１５７】
ユーザは、ファイル・アイコン（４１１）がゴミ箱アイコン（４１２）内に移動したことに応答して、すなわちファイル・アイコン（４１１）が上記交点（４１６−３）又はファイル・アイコン（４１１）が上記円周上を通過した際の半直線と枠（４１３−１）との交点に移動したことに応答して、マウスの左ボタンをリリースする（４２８）。
【０１５８】
以上に説明した通り、図４Ａ及び図４Ｂに示す実施態様では、ユーザは、ファイル・アイコンを、当該ファイル・アイコンの現在位置から遠くに離れているゴミ箱アイコンに精度良く乃至は効率良く移動することが可能になる。
【０１５９】
図５Ａ及び図５Ｂは、本発明の実施態様に従い、タブレット端末（電子装置（１２１）に対応する、以下、電子装置（１２１）ともいう）の表示装置上で、当該タブレット端末を片手で保持しながら、当該片手の指のみを使用して、当該タブレット端末上のアイコン（移動対象であるオブジェクトである）を当該片手の指が届かない位置に移動する場合の例を示す。
【０１６０】
ユーザは、左手（５２２）を怪我している為に、タブレット端末（５０１）を右手（５２１）で保持している。ユーザは、当該右手（５２１）の指のみを使用して、アイコン（５１１）を表示画面の中央上方（５１２）に移動したいとする。
【０１６１】
（Ａ）ユーザは、アイコン（５１１）を移動させたい場所（５１２）に移動させるために、当該アイコン（５１１）を右手（５２１）の人差し指又は親指で例えばタップ又はダブルタップする。
【０１６２】
（Ｂ）ユーザは、さらに、アイコン（５１１）上でホールド（長押し）する。電子装置（１２１）は、上記ホールドの検出を受信する。
【０１６３】
（Ｃ）電子装置（１２１）は、上記ホールドの検出を受信することに応じて、表示画面枠上又はその近傍に、枠（５１３）を表示する。枠（５１３）は、表示画面の枠の形状の縮小形又は略縮小形に対応するものであり、例えば長方形である。なお、当該枠は、表示画面の枠の形状に対応するものでなくともよく、任意の形の枠、例えば円状（下記図６Ａを参照）、略円状、楕円状、又は略楕円状であってもよい。
【０１６４】
電子装置（１２１）は、枠（５１３）を表示画面枠上又はその近傍に表示した後に、当該枠（５１３）を表示画面の内側に向けて自動的に移動する（５１３−ａ，−ｂ，−ｃ，及び−ｄ）。電子装置（１２１）は、上記枠（５１３）を、上記ホールドの検出を受信した際の人差し指又は親指の位置を原点とし、当該原点に収束するように当該枠（５１３）を移動する。電子装置（１２１）は、枠（５１３）が内側に移動するほど当該枠（５１３）の移動を例えば加速的に速くなるようにしうる。または、電子装置（１２１）は、ユーザによる例えばマウス又はキーボード操作によって、当該枠（５１３）の移動を速くしたり、遅くしたり、又は停止するようにしうる。上記枠（５１３）を内側に向けて移動することにより、当該枠（５１３）は徐々に縮小表示されていく。代替的には、ユーザは、ホールドの強度（すなわち、人差し指又は親指による表示画面を押す強度）を変更させることによって、表示画面枠上又はその近傍に表示された枠（５１３）が移動させたいアイコン（５１１）上に重畳して表示されるように、当該枠（５１３）を手動的に移動する。ユーザは、例えば、上記ホールドを強くすることによって枠（５１３）を縮小移動させ、一方、上記ホールドを弱くすることによって枠（５１３）を拡張移動させることが可能である。電子装置（１２１）は、上記ホールドの強度に応答して、上記枠（５１３）を縮小表示しながら又は拡張表示しながら移動しうる。
【０１６５】
（Ｄ）ユーザは、アイコン（５１１）を移動させたい場所（５１２）上に枠（５１３）が表示されること（５１３−１）に応じて、人差し指又は親指を表示画面からリリースする。なお、電子装置（１２１）が枠（５１３）を自動的に内側に向けて移動している場合において、アイコン（５１１）を移動させたい場所（５１２）上を当該枠（５１３）が通り過ぎて縮小された場合には、ユーザは、上記ホールドを弱くすることによって枠（５１３）を、上記アイコン（５１１）を移動させたい場所（５１２）上に拡張表示して移動することが可能である。
【０１６６】
（Ｅ）電子装置（１２１）は、上記リリースの検出を受信することに応じて、上記原点を端点として、当該端点と例えば当該端点から最も遠くにある枠（５１３−１）上の点とを結ぶ半直線（５１５−１）を求める。電子装置（１２１）は、当該半直線（５１５−１）を表示装置上に表示するようにしてもよい。また、電子装置（１２１）は、当該半直線（５１５−１）と上記枠（５１３−１）との上記交点（５１６−１）を求める。電子装置（１２１）は、当該交点（５１６−１）を特定する為の記述を表示装置上に表示するようにしてもよい。当該記述は例えば、電子装置（１２１）が交点（５１６−１）を移動先候補としてユーザが認識しやすいような表示、例えば交点を示すアイコンでありうる。但し、電子装置（１２１）は、上記半直線（５１５−１）を表示装置上に表示している場合には、上記交点（５１６−１）を特定する記述を上記表示装置上に表示する必要は必ずしもない。なぜならば、上記半直線（５１５−１）と上記枠（５１３−１）とが交差する点が、交点（５１６−１）であるからである。
【０１６７】
（Ｆ）ユーザは、アイコン（５１１）を移動させたい場所（５１２）上に上記交点（５１６−１）がないことから、再び、アイコン（５１１）を人差し指又は親指で例えばタップ又はダブルタップし、ホールドしながら、アイコン（５１１）上を移動する。電子装置（１２１）は、アイコン（５１１）上をホールド中であり且つ移動すること（５０６）に応じて、上記原点を端点として、当該端点と人差し指又は親指の移動先の現在位置とを結ぶ半直線（５１５−２）を表示する。また、電子装置（１２１）は、当該半直線（５１５−２）と上記枠（５１３−１）との交点（５１６−２）を求める。また、電子装置（１２１）は、交点（５１６−２）を移動先候補としてユーザが認識しやすいような表示を表示してもよい。
【０１６８】
（Ｇ）ユーザは、アイコン（５１１）を移動させたい場所（５１２）上に上記交点（５１６−２）があることから、人差し指又は親指をアイコン（５１１）上からリリースする。代替的には、ユーザは、アイコン（５１１）を移動させたい場所（５１２）上に上記交点（５１６−２）があることから、人差し指又は親指をアイコン（５１１）の外にホールドしながら移動する。
【０１６９】
電子装置（１２１）は、上記リリースの検出に応じて、アイコン（５１１）を上記交点（５１６−３）にジャンプするように移動させる。代替的には、電子装置（１２１）は、上記リリースの検出に応じて、アイコン（５１１）を現在位置から上記交点（５１６−３）に移動するように表示して移動させる。
【０１７０】
（Ｈ）電子装置（１２１）は、アイコン（５１１）を上記交点（５１６−３）に表示する。また、電子装置（１２１）は、枠（５１３−１）、及び半直線（５１５−３）を表示画面上から消去する。
【０１７１】
以上に説明した通り、図５Ａ及び図５Ｂに示す実施態様では、ユーザは、人差し指又は親指が届かない位置へアイコンを精度良く乃至は効率良く移動することが可能になる。
【０１７２】
図６Ａ〜図６Ｂは、本発明の実施態様に従い、３台のタブレット端末（電子装置（１２１）に対応する、以下、電子装置（１２１）ともいう）の各表示画面を組み合わせてなる一つの表示画面（マルチディスプレイ）上で、一つのタブレット端末を両手で保持しながら、一方の手の指のみを使用して、当該一つのタブレット端末上にあるアイコンを別のタブレット上に移動する場合の例を示す。
【０１７３】
ユーザは、第１のタブレット端末（６０１−１）、第２のタブレット端末（６０１−２）、及びスマートフォン（６０１−３）の各表示画面をマルチディスプレイとして使用している。複数の機器の各表示画面をマルチディスプレイとして使用する技術は当業者に知られているので、本明細書ではその説明を省略する。第１のタブレット端末（６０１−１）の重量が重い為に、ユーザは第１のタブレット端末（６０１−１）を両手で保持して操作する必要がある。
【０１７４】
ユーザは、第１のタブレット端末（６０１−１）の表示画面の左下に表示されているアイコン（６１１）を、第２のタブレット端末（６０１−２）の右上方（６１２）に移動したいとする。しかしながら、左手（６２１）は右手（６２２）とともに、タブレット端末（６０１−１）を保持しているので、当該左手（６２１）の人差し指又は親指は、アイコン（６１１）を移動させたい場所（６１２）に届かない。
【０１７５】
（Ａ）ユーザは、アイコン（６１１）を移動させたい場所（６１２）に移動させるために、アイコン（６１１）を左手（６２１）の人差し指又は親指で例えばタップ又はダブルタップする。
【０１７６】
（Ｂ）ユーザは、さらに、アイコン（６１１）上でホールド（長押し）する。電子装置（１２１）は、上記ホールドの検出を受信する。
【０１７７】
（Ｃ）電子装置（１２１）は、上記ホールドの検出を受信することに応じて、上記ホールドの検出を受信した際の人差し指又は親指の位置を原点とし、第１のタブレット端末（６０１−１）、第２のタブレット端末（６０１−２）、及びスマートフォン（６０１−３）の各表示画面のうち、上記原点から最も遠い位置に円周がくるように（すなわち、第１のタブレット端末（６０１−１）、第２のタブレット端末（６０１−２）、及びスマートフォン（６０１−３）の各表示画面の各頂点のうち、少なくとも１つの頂点を含むように）、円（枠である）（６１３）を表示する。なお、当該枠は、円でなく、略円、楕円、又は略楕円であってもよい。また、当該枠は、第１のタブレット端末（６０１−１）、第２のタブレット端末（６０１−２）、及びスマートフォン（６０１−３）の各表示画面の枠が外周で一体化してなる枠であってもよい（下記図６Ｄを参照）。
【０１７８】
電子装置（１２１）は、枠（６１３）を表示した後に、当該枠（６１３）を表示画面の内側に向けて自動的に移動する（６１３−ａ，−ｂ，−ｃ，及び−ｄ）。電子装置（１２１）は、上記枠（６１３）を、上記ホールドの検出を受信した際の人差し指又は親指の位置を原点とし、当該原点に収束するように当該枠（６１３）を移動する。電子装置（１２１）は、枠（６１３）が内側に移動するほど当該枠（６１３）の移動を例えば加速的に速くなるようにしうる。または、電子装置（１２１）は、ユーザによる例えばマウス又はキーボード操作によって、当該枠（６１３）の移動を速くしたり、遅くしたり、又は停止するようにしうる。上記枠（６１３）を内側に向けて移動することにより、当該枠（６１３）は徐々に縮小表示されていく。代替的には、ユーザは、ホールドの強度（すなわち、人差し指又は親指による表示画面を押す強度）を変更させることによって、アイコン（６１１）を移動させたい場所（６１２）上に枠（５１３）が表示されるように、当該枠（６１３）を手動的に移動する。ユーザは、例えば、上記ホールドを強くすることによって枠（６１３）を縮小移動させ、一方、上記ホールドを弱くすることによって枠（６１３）を拡張移動させることが可能である。電子装置（１２１）は、上記ホールドの強度に応じて、上記枠（６１３）を縮小表示しながら又は拡張表示しながら移動しうる。
【０１７９】
（Ｄ）ユーザは、アイコン（６１１）を移動させたい場所（６１２）上に上記枠（６１３）が表示されること（６１３−１）に応じて、人差し指又は親指を表示画面からリリースする。なお、電子装置（１２１）が枠（６１３）を自動的に内側に向けて移動している場合において、当該枠（６１３）がアイコン（６１１）を移動させたい場所（６１２）上を通り過ぎて縮小された場合には、ユーザは、上記ホールドを弱くすることによって枠（６１３）を、アイコン（６１１）を移動させたい場所（６１２）上に拡張表示して移動することが可能である。
【０１８０】
（Ｅ）電子装置（１２１）は、上記リリースの検出を受信することに応じて、上記原点を端点として、当該端点と上記枠（６１３−１）上の点とを結ぶ半直線（６１５−１）を求める。電子装置（１２１）は、当該半直線（６１５−１）を表示装置上に表示するようにしてもよい。また、電子装置（１２１）は、当該半直線（６１５−１）と上記枠（６１３−１）との交点（６１６−１）を求める。電子装置（１２１）は、当該交点（６１６−１）を特定する為の記述を表示装置上に表示するようにしてもよい。当該記述は例えば、電子装置（１２１）が上記交点（６１６−１）を移動先候補としてユーザが認識しやすいような表示、例えば交点を示すアイコンでありうる。但し、電子装置（１２１）は、上記半直線（６１５−１）を表示装置上に表示している場合には、上記交点（６１６−１）を特定する記述を上記表示装置上に表示する必要は必ずしもない。なぜならば、上記半直線（６１５−１）と上記枠（６１３−１）とが交差する点が、交点（６１６−１）であるからである。
【０１８１】
（Ｆ）ユーザは、アイコン（６１１）を移動させたい場所（６１２）上に上記交点（６１６−１）がないことから、再び、アイコン（６１１）を人差し指又は親指で例えばタップ又はダブルタップし、ホールドしながら、アイコン（６１１）上を移動する。電子装置（１２１）は、アイコン（６１１）上をホールド中であり且つ移動すること（６０６−１）に応じて、上記原点を端点として、当該端点と人差し指又は親指の移動先の現在位置とを結ぶ半直線（６１５−２）を表示する。また、電子装置（１２１）は、当該半直線（６１５−２）と上記枠（６１３−１）との交点（６１６−２）を求める。また、電子装置（１２１）は、交点（６１６−２）を移動先候補としてユーザが認識しやすいような表示を表示してもよい。
【０１８２】
ユーザは、アイコン（６１１）を移動させたい場所（６１２）上に上記交点（６１６−２）があることから、人差し指又は親指をアイコン（６１１）上からリリースする。
【０１８３】
電子装置（１２１）は、上記リリースの検出に応じて、アイコン（６１１）を上記交点（６１６−３）にジャンプするように移動させる。代替的には、電子装置（１２１）は、上記リリースの検出に応じて、アイコン（６１１）を現在位置から上記交点（６１６−３）に移動するように表示して移動させる。代替的には、ユーザは、アイコン（６１１）を移動させたい場所上に上記交点（６１６−２）があることから、人差し指又は親指をアイコン（６１１）の外にホールドしながら移動する。
【０１８４】
（Ｇ）電子装置（１２１）は、上記リリースの検出に応じて又は人差し指又は親指がアイコン（６１１）の外にホールドしながら移動したことに応じて、アイコン（６１１）を上記交点（６１６−３）に表示する。また、電子装置（１２１）は、枠（６１３−１）、及び半直線（６１５−３）を表示画面上から消去する。
【０１８５】
以上に説明した通り、図６Ａ及び図６Ｂに示す実施態様では、ユーザは、マルチディスプレイ環境において、人差し指又は親指が届かない位置へアイコンを精度良く乃至は効率良く移動することが可能になる。
【０１８６】
図６Ｃは、図６Ａ及び図６Ｂに示す実施態様に従い移動したアイコンについて片手の指で操作する場合の例を示す。
【０１８７】
（Ｈ）ユーザは、表示画面上を例えばタップ又はダブルタップし、メニュー（６３１〜６３５）を呼び出す。電子装置（１２１）は、上記タップ又はダブルタップに応答して、メニュー（６３１〜６３５）を表示画面上に表示する（６０８−１）。当該メニューのそれぞれは、操作したいアイコンに対応する。メニュー（６３２）がアイコン（６１１）を操作する為のものであるとする。
【０１８８】
（Ｉ）ユーザは、メニュー（６３２）を例えばタップ又はダブルタップする。電子装置（１２１）は、当該メニュー（６３２）のタップ又はダブルタップに応答して、アイコン（６１１）用の操作メニュー（６４１〜６４５）を表示画面上に表示する（６０９−１）。当該操作メニュー（６４１〜６４５）のそれぞれは、アイコン（６１１）を操作したいメニューに対応する。当該操作メニュー（６４１〜６４５）は、例えば、アイコン（６１１）に関連付けられたアプリの起動、アイコン（６１１）に関連付けられたアプリの更新（アップデート）、アイコン（６１１）に関連付けられたアプリの削除などでありうる。
【０１８９】
図６Ｄは、図６Ａに示す枠（６１３）の異なる実施態様を示す。
【０１９０】
図６Ｄの実施態様では、図６Ａに示す（Ａ）〜（Ｂ）及び図６Ｂに示す（Ｇ）と同じ処理を行うので、ここではそれらの説明を省略する。図６Ｄに示す（Ｃ−１），（Ｄ−１），（Ｅ−１）及び（Ｆ−１）の各処理は、図６Ａに示す（Ｃ），図６Ｂに示す（Ｄ），（Ｅ）及び（Ｆ）の各処理にそれぞれ対応する。
【０１９１】
（Ｃ−１）電子装置（１２１）は、上記ホールドの検出を受信することに応じて、上記ホールドの検出を受信した際の人差し指又は親指の位置を原点とし、第１のタブレット端末（６０３−１ａ）、第２のタブレット端末（６０３−２ａ）、及びスマートフォン（６０３−３ａ）の各表示画面の枠がこれらの外周で一体化してなる枠（６２３−１，６２３−２及び６２３−３）を表示する。すなわち、第１のタブレット端末（６０３−１ａ）は枠の一部（６２３−１）を表示し、第２のタブレット端末（６０３−２ａ）は枠の一部（６２３−２）を表示し、及びスマートフォン（６０３−３ａ）は枠の一部（６２３−３）を表示する。
【０１９２】
電子装置（１２１）は、枠（６２３−１，６２３−２及び６２３−３）を表示した後に、当該枠（６２３−１，６２３−２及び６２３−３）を表示画面の内側に向けて自動的に移動する。電子装置（１２１）は、上記枠（６２３−１，６２３−２及び６２３−３）を、上記ホールドの検出を受信した際の人差し指又は親指の位置を原点とし、当該原点に収束するように当該枠（６２３−１，６２３−２及び６２３−３）を移動する。また、電子装置（１２１）は、上記枠（６２３−１，６２３−２及び６２３−３）についてどのように収束するかを個別の枠毎に決定しうる。電子装置（１２１）は、枠（６２３−１，６２３−２及び６２３−３）が内側に移動するほど当該枠（６２３−１，６２３−２及び６２３−３）の移動を例えば加速的に速くなるようにしうる。または、電子装置（１２１）は、ユーザによる例えばマウス又はキーボード操作によって、当該枠（６２３−１，６２３−２及び６２３−３）の移動を速くしたり、遅くしたり、又は停止するようにしうる。上記枠（６２３−１，６２３−２及び６２３−３）を内側に向けて移動することにより、当該枠（６２３−１，６２３−２及び６２３−３）は徐々に縮小表示されていく。代替的には、ユーザは、ホールドの強度（すなわち、人差し指又は親指による表示画面を押す強度）を変更させることによって、アイコン（６１１）を移動させたい場所（６１２）上に枠（６２３−１，６２３−２及び６２３−３）が表示されるように、当該枠（６２３−１，６２３−２及び６２３−３）を手動的に移動する。ユーザは、例えば、上記ホールドを強くすることによって枠（６２３−１，６２３−２及び６２３−３）を縮小移動させ、一方、上記ホールドを弱くすることによって枠（６２３−１，６２３−２及び６２３−３）を拡張移動させることが可能である。電子装置（１２１）は、上記ホールドの強度に応じて、上記枠（６２３−１，６２３−２及び６２３−３）を縮小表示しながら又は拡張表示しながら移動しうる。
【０１９３】
（Ｄ−１）ユーザは、アイコン（６１１）を移動させたい場所（６１２）上に上記枠（６２３−１，６２３−２及び６２３−３）が表示されること（６２４−１，６２４−２及び６２４−３）に応じて、人差し指又は親指を表示画面からリリースする。なお、電子装置（１２１）が枠（６２３−１，６２３−２及び６２３−３）を自動的に内側に向けて移動している場合において、当該枠（６２３−１，６２３−２及び６２３−３）がアイコン（６１１）を移動させたい場所（６１２）上を通り過ぎて縮小された場合には、ユーザは、上記ホールドを弱くすることによって、アイコン（６１１）を移動させたい場所（６１２）上に枠（６２３−１，６２３−２及び６２３−３）を拡張表示して移動することが可能である。
【０１９４】
（Ｅ−１）電子装置（１２１）は、上記リリースの検出を受信することに応じて、上記原点を端点として、当該端点と上記枠（６２３−１，６２３−２及び６２３−３）のうち例えば最も原点から遠い点とを結ぶ半直線（６２５−１）を求める。電子装置（１２１）は、当該半直線（６２５−１）を表示装置上に表示するようにしてもよい。また、電子装置（１２１）は、当該半直線（６２５−１）と上記枠（６２４−２）との交点（６２６−１）を求める。電子装置（１２１）は、当該交点（６２６−１）を特定する為の記述を表示装置上に表示するようにしてもよい。当該記述は例えば、電子装置（１２１）が上記交点（６２６−１）を移動先候補としてユーザが認識しやすいような表示、例えば交点を示すアイコンでありうる。但し、電子装置（１２１）は、上記半直線（６２５−１）を表示装置上に表示している場合には、上記交点（６２６−１）を特定する記述を上記表示装置上に表示する必要は必ずしもない。なぜならば、上記半直線（６２５−１）と上記枠（６２４−２）とが交差する点が、交点（６２６−１）であるからである。
【０１９５】
（Ｆ−１）ユーザは、アイコン（６１１）を移動させたい場所（６１２）上に上記交点（６２６−１）がないことから、再び、アイコン（６１１）を人差し指又は親指で例えばタップ又はダブルタップし、ホールドしながら、アイコン（６１１）上を移動する。電子装置（１２１）は、アイコン（６１１）上をホールド中であり且つ移動すること（６０６−１ａ）に応じて、上記原点を端点として、当該端点と人差し指又は親指の移動先の現在位置とを結ぶ半直線（６２５−２）を表示する。また、電子装置（１２１）は、当該半直線（６２５−２）と上記枠（６２４−２）との交点（６２６−２）を求める。また、電子装置（１２１）は、交点（６２６−２）を移動先候補としてユーザが認識しやすいような表示を表示してもよい。
【０１９６】
ユーザは、アイコン（６１１）を移動させたい場所（６１２）上に上記交点（６２６−２）があることから、人差し指又は親指をアイコン（６１１）上からリリースする。
【０１９７】
電子装置（１２１）は、上記リリースの検出に応じて、アイコン（６１１）を上記交点（６２６−２）にジャンプするように移動させる。代替的には、電子装置（１２１）は、上記リリースの検出に応じて、アイコン（６１１）を現在位置から上記交点（６２６−２）に移動するように表示して移動させる。代替的には、ユーザは、アイコン（６１１）を移動させたい場所（６１２）上に上記交点（６２６−２）があることから、人差し指又は親指をアイコン（６１１）の外にホールドしながら移動する。
【０１９８】
以上に説明した通り、図６Ｄに示す実施態様では、図６Ａ及び図６Ｂに示す実施態様と同様に、ユーザは、マルチディスプレイ環境において、人差し指又は親指が届かない位置へアイコンを精度良く乃至は効率良く移動することが可能になる。
【０１９９】
図７Ａ及び図７Ｂは、本発明の実施態様に従い、タブレット端末（電子装置（１２１）に対応する、以下、電子装置（１２１）ともいう）の表示装置上で、当該タブレット端末を片手で保持しながら、当該片手の指のみを使用して、当該タブレット端末上の当該指が届かない位置にあるアイコンを選択する場合の例を示す。
【０２００】
ユーザは、左手（７２２）で吊革を握っている為に、タブレット端末（７０１）を右手（７２１）で保持している。ユーザは、当該右手（７２１）の指のみを使用して、左上方にあるアイコン（７１１）を選択したいとする。ユーザは、右手（７２１）でタブレット端末（７０１）を保持しているので、当該右手（７２１）の人差し指又は親指は、選択したいアイコン（７１１）上に届かない。
【０２０１】
（Ａ）ユーザは、アイコン（７１１）を選択するために、右手（５２１）の人差し指又は親指が届く表示画面上の領域を、人差し指又は親指で例えばタップ又はダブルタップする。電子装置（１２１）は、当該タップ又はダブルタップに応じて、上記人差し指又は親指の直下又はその近傍に、上記人差し指又は親指が表示画面に触れていることを示すカーソル（移動対象であるオブジェクトである）（図示せず）を表示する。
【０２０２】
（Ｂ）ユーザは、さらに、上記タップ又はダブルタップした領域上でホールド（長押し）する。電子装置（１２１）は、上記ホールドの検出を受信する。
【０２０３】
（Ｃ）電子装置（１２１）は、上記ホールドの検出を受信することに応じて、表示画面枠上又はその近傍に、枠（７１３）を表示する。枠（７１３）は、表示画面の枠の形状の縮小形又は略縮小形に対応するものであり、例えば長方形である。なお、当該枠は、表示画面の枠の形状に対応するものでなくともよく、任意の形の枠、例えば円状（図６Ａを参照）、略円状、楕円状、又は略楕円状であってもよい。
【０２０４】
また、電子装置（１２１）は、上記ホールドの検出を受信することに応じて、上記ホールドの検出を受信した際の人差し指又は親指の位置を原点として、小円（７１４）を表示する。当該小円（７１４）は、マウスの移動が少しで済むような大きさであればよく、例えばマウスパッド上で１回の移動で当該円の周上を通過できるような大きさであればよい。
【０２０５】
電子装置（１２１）は、枠（７１３）を表示画面枠上又はその近傍に表示した後に、当該枠（７１３）を表示画面の内側に向けて自動的に移動する（７１３−ａ，−ｂ，−ｃ，及び−ｄ）。電子装置（１２１）は、上記枠（７１３）を、上記ホールドの検出を受信した際の人差し指又は親指の位置を原点とし、当該原点に収束するように当該枠（７１３）を移動する。電子装置（１２１）は、枠（７１３）が内側に移動するほど当該枠（７１３）の移動を例えば加速的に速くなるようにしうる。または、電子装置（１２１）は、ユーザによる例えばマウス又はキーボード操作によって、当該枠（７１３）の移動を速くしたり、遅くしたり、又は停止するようにしうる。上記枠（７１３）を内側に向けて移動することにより、当該枠（７１３）は徐々に縮小表示されていく。代替的には、ユーザは、ホールドの強度（すなわち、人差し指又は親指による表示画面を押す強度）を変更させることによって、表示画面枠上又はその近傍に表示された枠（７１３）が選択したいアイコン（７１１）上に重畳して表示されるように、当該枠（７１１）を手動的に移動する。ユーザは、例えば、上記ホールドを強くすることによって枠（７１３）を縮小移動させ、一方、上記ホールドを弱くすることによって枠（７１３）を拡張移動させることが可能である。電子装置（１２１）は、上記ホールドの強度に応答して、上記枠（７１３）を縮小表示しながら又は拡張表示しながら移動しうる。
【０２０６】
（Ｄ）ユーザは、枠（７１３）が選択したいアイコン（７１１）上に重畳して表示されること（７１３−１）に応じて、人差し指又は親指を表示画面からリリースする。なお、電子装置（１２１）が枠（７１３）を自動的に内側に向けて移動している場合において、当該枠（７１３）が選択したいアイコン（７１１）上を通り過ぎて縮小された場合には、ユーザは、上記ホールドを弱くすることによって枠（７１３）を、カーソルを移動させたい場所（７１１）上に拡張表示して移動することが可能である。
【０２０７】
（Ｅ）電子装置（１２１）は、上記リリースの検出を受信することに応じて、上記原点を端点として、当該端点と例えば当該端点から枠（７１３−１）上の例えば最も遠くにある点とを結ぶ半直線（７１５−１）を求める。電子装置（１２１）は、当該半直線（７１５−１）を表示装置上に表示するようにしてもよい。また、電子装置（１２１）は、当該半直線（７１５−１）と上記枠（７１３−１）との上記交点（７１６−１）を求める。電子装置（１２１）は、当該交点（７１６−１）を特定する為の記述を表示装置上に表示するようにしてもよい。当該記述は例えば、電子装置（１２１）が交点（７１６−１）を移動先候補としてユーザが認識しやすいような表示、例えば交点を示すアイコンでありうる。但し、電子装置（１２１）は、上記半直線（７１５−１）を表示装置上に表示している場合には、上記交点（７１６−１）を特定する記述を上記表示装置上に表示する必要は必ずしもない。なぜならば、上記半直線（７１５−１）と上記枠（７１３−１）とが交差する点が、交点（７１６−１）であるからである。
【０２０８】
（Ｆ）ユーザは、選択したいアイコン（７１１）上に上記交点（７１６−１）がないことから、再び、小円（７１４）を人差し指又は親指で例えばタップ又はダブルタップし、ホールドしながら、小円（７１４）内を移動する。電子装置（１２１）は、小円（７１４）内をホールド中であり且つ移動すること（７０６）に応じて、上記原点を端点として、当該端点と人差し指又は親指の移動先の現在位置とを結ぶ半直線（７１５−２）を表示する。また、電子装置（１２１）は、当該半直線（７１５−２）と上記枠（７１３−１）との交点（７１６−２）を求める。また、電子装置（１２１）は、交点（７１６−２）を移動先候補としてユーザが認識しやすいような表示を表示してもよい。
【０２０９】
（Ｇ）ユーザは、選択したいアイコン（７１１）上に上記交点（７１６−２）があること（すなわち、上記交点（７１６−２）が選択したいアイコン（７１１）と重畳して表示されていること）から、人差し指又は親指を上記半直線（７１５−２）に沿って移動し、上記小円（７１４）の枠（すなわち、円周）上を通過するように人差し指又は親指をプレスしなから移動する（７０７）。電子装置（１２１）は、人差し指又は親指の移動に応じて、人差し指又は親指が上記円周上を通過したことを検出する。
【０２１０】
電子装置（１２１）は、上記人差し指又は親指が上記円周上を通過したことを検出することに応じて、上記人差し指又は親指下にあるカーソルを上記交点（７１６−２）又は上記人差し指又は親指が上記円周上を通過した際の半直線と枠（７１３−１）との交点にジャンプするように移動させる。代替的には、電子装置（１２１）は、上記マウス・カーソルが上記円周上を通過したことを検出することに応じて、カーソルを上記交点（７１６−２）に徐々に又は加速度的に移動するように（例えば、カーソルの軌跡を残しながら）又はカーソルが上記円周上を通過した際の半直線と枠（７１６−２）との交点に徐々に又は加速度的に移動するように（例えば、カーソルの軌跡を残しながら）表示して移動させる。
【０２１１】
（Ｈ）電子装置（１２１）は、アイコン（７１７）を上記交点（７１６−２）上に、すなわちアイコン（７１１）上に表示する。また、電子装置（１２１）は、枠（７１３−１）、及び半直線（７１５−２）を表示画面上から消去する。
【０２１２】
以上に説明した通り、図７Ａ及び図７Ｂに示す実施態様では、ユーザは、人差し指又は親指が届かない位置にあるアイコンを精度良く乃至は効率良く選択することが可能になる。
【０２１３】
図７Ｃは、図７Ａ及び図７Ｂに示す実施態様に従い選択したアイコンについて片手の指で操作する場合の例を示す。
【０２１４】
（Ｉ）ユーザは、表示画面上を例えばタップ又はダブルタップし、メニュー（７３１〜７３５）を呼び出す。電子装置（１２１）は、上記タップ又はダブルタップに応答して、メニュー（７３１〜７３５）を表示画面上に表示する（７０９）。当該メニューのそれぞれは、操作したいアイコンに対応する。メニュー（７３４）がアイコン（７１１）を操作する為のものであるとする。
【０２１５】
（Ｊ）ユーザは、メニュー（７３４）を例えばタップ又はダブルタップする。電子装置（１２１）は、当該メニュー（７３４）のタップ又はダブルタップに応答して、アイコン（７１１）用の操作メニュー（７４１〜７４５）を表示画面上に表示する（７１０）。当該操作メニュー（７４１〜７４５）のそれぞれは、アイコン（７１１）を操作したいメニューに対応する。当該操作メニュー（７４１〜７４５）は、例えば、アイコン（７１１）に関連付けられたアプリの起動、アイコン（７１１）に関連付けられたアプリの更新（アップデート）、アイコン（７１１）に関連付けられたアプリの削除などでありうる。
【０２１６】
図８Ａ及び図８Ｂは、本発明の実施態様に従い、ワイド型の液晶ディスプレイ上で、マウスを使用して、マウス・カーソル（移動対象であるオブジェクトである）の現在位置から遠くに離れているアイコンを選択する場合の例であって、複数の枠を表示する例を示す。
【０２１７】
ユーザは、アイコン（８１２）をマウスで選択したいとする。マウス・カーソル（８１１）の現在位置は、選択したいアイコン（８１２）から遠くに離れた位置にあるとする。
【０２１８】
（Ａ）ユーザは、マウスの左ボタンをプレスする（８２１）。電子装置（１０１）は、当該マウスのプレスの検出を受信する。
【０２１９】
（Ｂ）ユーザは、マウスの左ボタンをプレス中である（８２２）。電子装置（１０１）は、上記プレスの検出を受信することに応じて、表示画面枠の角（頂点）上それぞれに又はその近傍それぞれに、マウス・カーソル（８１１）の移動先を示す複数の枠（８１３−ａ，−ｂ，及び−ｃ）を表示する。なお、電子装置（１０１）は、マウス・カーソル（８１１）に近い表示画面枠の角（頂点）に枠を表示しない。なぜならば、マウス・カーソル（８１１）に近い表示画面枠の角（頂点）に当該マウス・カーソル（８１１）を移動する方法として、慣用的な方法でマウス・カーソル（８１１）を移動する方が、本発明の実施態様に従うよりも容易である場合があるからである。
【０２２０】
枠（８１３−ａ，−ｂ，及び−ｃ）は、例えば、円、略円、楕円又は略楕円でありうるが、その他の形状であってもよい。枠（８１３−ａ，−ｂ，及び−ｃ）の大きさは、当該枠上にマウス・カーソル（８１１）を表示しうる大きさであれば十分であり、当業者であれば適宜設定しうる。
【０２２１】
また、当該複数の枠（８１３−ａ，−ｂ，及び−ｃ）は、当該マウス・カーソル（８１１）の移動先を当該複数の枠（８１３−ａ，−ｂ，及び−ｃ）に限定するものである。移動先を限定又は制限することによって、ユーザがマウス・カーソルの移動先を決定するという余分な操作が省略されてユーザビリティに優れる場合もあるからである。
【０２２２】
（Ｃ）また、電子装置（１０１）は、上記プレスの検出を受信した際のマウス・カーソル（８１１）の位置を原点とし、当該原点を端点として、枠（８１３−ａ，−ｂ，及び−ｃ）のうち、例えば上記端点とマウスの移動方向先に最も近い枠（８１３−ｂ）の中心とを結ぶ半直線を求める。代替的には、電子装置（１０１）は、上記プレスの検出を受信した際のマウス・カーソル（８１１）の位置を原点とし、当該原点を端点として、枠（８１３−ａ，−ｂ，及び−ｃ）のうち、上記端点から最も遠い枠（８１３−ｂ）の中心とを結ぶ半直線を求める。また、電子装置（１０１）は、当該半直線（８１５−１）と上記枠（８１３−ｂ）との交点（８１６−１）を求める。但し、交点（８１６−１）は、枠（８１３−ｂ）の中心であるのでその座標が格納されている場合には、上記交点（８１６−１）を求める必要はない。電子装置（１０１）は、当該交点（８１６−１）を特定する為の記述を表示装置上に表示するようにしてもよい。当該記述は例えば、電子装置（１０１）が交点（８１６−１）を移動先候補としてユーザが認識しやすいような表示、例えば交点を示すアイコンでありうる。但し、電子装置（１０１）は、上記半直線（８１５−１）を表示装置上に表示している場合には、上記交点（８１６−１）を特定する記述を上記表示装置上に表示する必要は必ずしもない。なぜならば、上記半直線（８１５−１）と上記枠（８１３−ｂ）とが交差する点が、交点（８１６−１）であるからである。
【０２２３】
（Ｄ）ユーザは、上記交点（８１６−１）が選択したいアイコン（８１２）の近くにあることから、マウスを上記半直線（８１５−１）に沿って移動し、上記小円（８１４）の枠（すなわち、円周）上を通過するようにマウスの左ボタンをプレスしなから移動する（８２４）。電子装置（１０１）は、マウスの移動に応じて、マウス・カーソル（８１１）が上記円周上を通過したことを検出する。
【０２２４】
電子装置（１０１）は、上記マウス・カーソル（８１１）が上記円周上を通過したことを検出することに応じて、マウス・カーソル（８１１）を上記交点（８１６−１）にジャンプするように移動させる。代替的には、電子装置（１０１）は、上記マウス・カーソルが上記円周上を通過したことを検出することに応じて、マウス・カーソル（８１１）を上記交点（８１６−１）に徐々に又は加速度的に移動するように（例えば、マウス・カーソル（８１１）の軌跡を残しながら）表示して移動させる。
【０２２５】
（Ｅ）電子装置（１０１）は、上記交点（８１６−１）上にマウス・カーソル（８１１）を表示する。また、電子装置（１０１）は、小円（８１４）、枠（８１３−ａ，−ｂ，及び−ｃ）、及び半直線（８１５−１）を表示画面上から消去する。
【０２２６】
（Ｆ）マウス・カーソル（８１１）の近くに、選択したいアイコン（８１２）がある。従って、ユーザは、マウスをドラッグしたまま、マウス・カーソル（８１１）を選択したいアイコン（８１２）上に移動する。電子装置（１０１）は、当該移動の検出に応じて、慣用の方法に従い、マウス・カーソル（８１１）を選択したいアイコン（８１２）上に移動する。
【０２２７】
（Ｇ）電子装置（１２１）は、マウス・カーソル（８１１）を選択したいアイコン（８１２）上に表示する。
【０２２８】
以上に説明した通り、図８Ａ及び図８Ｂに示す実施態様では、ユーザは、マウス・カーソルの現在位置から遠くに離れているアイコンに移動する為に、一旦アイコンに近い位置にマウス・カーソルを移動し、次に当該移動したマウス・カーソルを上記アイコンに移動することによって、選択したいアイコンを効率良く選択することが可能になる。
【０２２９】
図９Ａ〜図９Ｄは、本発明の実施態様に従い、表示画面上に表示された移動対象であるオブジェクトを移動するためのフローチャートを示す。図９Ａ〜図９Ｄに示す各ステップの説明において、電子装置は本願発明に従う電子装置を意味し、図１Ａに示す電子装置（１０１）及び図１Ｂに示す電子装置（１２１）を包含する。
【０２３０】
図９Ａは、本発明の実施態様に従い、表示画面上に表示された移動対象であるオブジェクトを移動するための処理を実行する為のフローチャートであって、枠表示手段が枠を表示し且つ縮小表示表示手段が上記枠に関連付けられた縮小表示又は、円、楕円、略円若しくは略楕円を表示する処理を含むフローチャートを示す。
【０２３１】
ステップ９０１において、電子装置は、上記処理を実行するためのプログラムを開始する。
【０２３２】
ステップ９０２において、電子装置は、ポインティング・デバイスのユーザによる特定の操作（例えば、マウスの場合、左クリック）又はユーザの操作指による特定の操作（例えばタブレット端末の場合、例えばタップ又はダブルタップ）の検出を受信する。代替的には、電子装置は、キーボードのユーザによる特定の操作（例えば、特定のキーの押下）の検出を受信する。
【０２３３】
ステップ９０３において、電子装置は、ステップ９０２の上記特定の操作の検出を受信することに応じて、表示画面枠上又はその近傍に、１つ又は複数の枠を表示する。当該枠は、１つの表示装置の表示画面の外周に対応付けられた形、若しくは、複数の表示装置の表示画面を組み合わせた外周に対応付けられた形、又は、少なくとも１つの円、楕円、略円若しくは略楕円でありうる。また、当該枠は、１つ又は複数の表示画面の少なくとも１つの頂点を含みうる。表示画面の頂点とは、所謂、角を意味する。
【０２３４】
また、電子装置は、ステップ９０２の上記特定の操作の検出を受信することに応じて、上記特定の操作の検出を受信した際のポインティング・デバイスのカーソル又は操作指下の表示装置上に表示されるカーソル（以下、カーソルという場合には、上記２つのカーソルを意味する）の位置を原点として、当該原点を含み、表示画面枠に関連付けられた縮小表示又は、上記原点を含む円、楕円、略円若しくは略楕円（以下、縮小表示等ともいう）を表示する。上記カーソルが、表示画面上に表示された移動対象であるオブジェクトである。代替的には、電子装置は、ステップ９０２の上記特定の操作の検出を受信することに応じて、上記特定の操作の検出を受信した際のポインティング・デバイスのカーソル又は操作指下の表示装置上に表示されるカーソルの位置を原点として、当該原点を中心として、上記枠に関連付けられた縮小表示又は、円、楕円、略円若しくは略楕円を表示する。
【０２３５】
電子装置は、表示画面上に、上記枠と上記縮小表示等とを同時に表示してもよく、又は、まず上記枠を先に表示し、次に上記縮小表示等を表示してもよく、又は、まず上記縮小表示等を先に表示し、次に上記枠を表示してもよい。
【０２３６】
ステップ９０４において、電子装置は、ステップ９０３で表示した枠を表示画面の内側に向けて自動的に移動しうる。電子装置は、上記枠を、上記特定の操作の検出を受信した際の上記カーソルの位置を原点とし、当該原点に収束するように当該枠を移動する。電子装置は、上記枠が内側に移動するほど当該枠の移動を例えば加速的に速くなるようにしうる。または、電子装置は、ステップ９０２で表示した枠をユーザによるポインティング・デバイス又はキーボード操作によって、当該枠の移動を速くしたり、遅くしたり、又は停止するようにしうる。代替的には、代替的には、ユーザは、ポインティング・デバイスの特定のボタンを操作すること（例えば、マウスのホイールボタンを前後にスライドさせること）によって、上記枠が、上記オブジェクトの移動先に表示されるように、当該枠を手動的に移動しうる。
【０２３７】
ステップ９０５において、電子装置は、ポインティング・デバイスのユーザによる特定の操作又はユーザの操作指による特定の操作を検出して、上記枠の移動を終了するかどうかを判断する。電子装置は、上記特定の操作が枠の移動を終了することに応じて、処理をステップ９０６に進める。一方、電子装置は、上記特定の操作が枠の移動の終了でないことに応じて、処理をステップ９０４に戻し、上記枠の移動を継続する。
【０２３８】
ステップ９０６において、電子装置は、上記カーソルが上記縮小表示等内で移動することを検出する。
【０２３９】
ステップ９０７において、電子装置は、ステップ９０６での上記カーソルの移動を検出して、上記原点を端点として、当該端点と上記カーソルの移動先の現在位置とを結ぶ半直線を求める。また、電子装置は、当該求めた半直線を表示装置上に表示しうる。
【０２４０】
ステップ９０８において、電子装置は、ステップ９０７で求めた半直線とステップ９０５で決定された位置にある枠との交点を求める。電子装置は、当該求めた交点を特定する為の記述を表示装置上に表示しうる。
【０２４１】
ステップ９０９において、電子装置は、上記カーソルが移動中であり且つ上記縮小表示等の枠上を通過したかどうかを検出する。電子装置は、上記カーソルが上記縮小表示等の上記枠上を通過したことに応じて、処理をステップ９０９に進める。一方、電子装置は、上記カーソルが上記枠上を通過していないことに応じて、処理をステップ９０７に戻し、ステップ９０７〜９０９を繰り返す。
【０２４２】
ステップ９１０において、電子装置は、ステップ９０８で計算した交点に、又はステップ９０９で上記縮小表示等の上記枠上を通過した際の半直線とステップ９０５で決定された位置にある枠との交点に上記カーソルを移動して、表示装置上に表示する。
【０２４３】
ステップ９１１において、電子装置は、次の処理に備えて待機モードに入るか、又は上記処理を実行するためのプログラムを終了しうる。
【０２４４】
図９Ｂは、本発明の実施態様に従い、表示画面上に表示された移動対象であるオブジェクトを移動するためのフローチャートであって、枠表示手段が枠を表示する処理を含むフローチャートを示す。
【０２４５】
ステップ９２１〜ステップ９２２はそれぞれ、図９Ａに示すステップ９０１〜ステップ９０２に対応する。従って、図９Ｂのステップの説明において、ステップ９２１〜ステップ９２１の説明を省略する。
【０２４６】
ステップ９２３において、電子装置は、ステップ９２２のポインティング・デバイスのユーザによる特定の操作（例えば、マウスの場合、左クリック）又はユーザの操作指による特定の操作（例えばタブレット端末の場合、例えばタップ又はダブルタップ）の検出を受信することに応じて、表示画面枠上又はその近傍に、１つ又は複数の枠を表示する。当該枠は、１つの表示装置の表示画面の外周に対応付けられた形、若しくは、複数の表示装置の表示画面を組み合わせた外周に対応付けられた形、又は、少なくとも１つの円、楕円、略円若しくは略楕円でありうる。また、当該枠は、１つ又は複数の表示画面の少なくとも１つの頂点を含みうる。表示画面の頂点とは、所謂、角を意味する。
【０２４７】
なお、図９Ｂに示す処理では、図９Ａのステップ９０３で行われる縮小表示等の表示が行われない。
【０２４８】
ステップ９２４〜ステップ９２５はそれぞれ、図９Ａに示すステップ９０４〜ステップ９０５に対応する。従って、図９Ｂのステップの説明において、ステップ９２４〜ステップ９２５の説明を省略する。
【０２４９】
ステップ９２６において、電子装置は、上記カーソルが、ステップ９２２での上記特定の操作を検出した際の上記ポインティング・デバイス又は上記操作指の位置を原点とする近傍の領域において短距離の移動をしたかどうかを検出する。当該近傍は、上記ポインティング・デバイス又は上記操作指の移動が少しで済むような距離でありうる。短距離の移動とは、上記原点を含み、上記枠に関連付けられた縮小表示又は、上記原点を含む円、楕円、略円若しくは略楕円（縮小表示等）を計算し、当該計算した縮小表示等（表示画面には表示されない仮想的な縮小表示等である）の領域内での移動、上記原点近傍での若しくは上記仮想的な縮小表示等内での一定ピクセル分の移動、又は移動対象であるアイコンのアイコン表示領域内での移動でありうる。上記原点近傍での一定ピクセル分の移動とは、例えば、電子装置がタブレットの場合において、当該タブレットを保持している手の人差し指又は親指が表示画面上を移動可能なピクセル分の距離の移動でありうる。
【０２５０】
ステップ９２７〜ステップ９２８はそれぞれ、図９Ａに示すステップ９０７〜ステップ９０８に対応する。従って、図９Ｂのステップの説明において、ステップ９２７〜ステップ９２８の説明を省略する。
【０２５１】
ステップ９２９において、電子装置は、上記カーソルが移動中であり且つ上記原点の近傍において加速度的に一定距離、例えば一定ピクセル分移動したかどうかを検出する。電子装置は、上記カーソルが加速度的に上記一定距離分移動したことに応じて、処理をステップ９３０に進める。一方、電子装置は、上記カーソルが加速度的に上記一定距離分移動していないことに応じて、処理をステップ９２７に戻し、ステップ９２７〜９２９を繰り返す。
【０２５２】
代替的には、電子装置は、上記カーソルが所定の加速度以上で移動したことを検出する。電子装置は、上記カーソルが所定の加速度以上で移動したことに応じて、処理をステップ９３０に進める。一方、電子装置は、上記カーソルが所定の加速度以上で移動していないことに応じて、処理をステップ９２７に戻し、ステップ９２７〜９２９を繰り返す。
【０２５３】
代替的には、電子装置は、ユーザによるマウスの特定の操作（例えば、特定のボタンのプレス）又はユーザによるキーボードの特定の操作（例えば、特定のファンクション・キーのプレス）を検出する。電子装置は、上記特定の操作を検出することに応じて、処理をステップ９３０に進める。一方、電子装置は、上記特定の操作検出しないことに応じて、処理をステップ９２７に戻し、ステップ９２７〜９２９を繰り返す。
【０２５４】
ステップ９３０〜ステップ９３１はそれぞれ、図９Ａに示すステップ９１０〜ステップ９１１に対応する。従って、図９Ｂのステップの説明において、ステップ９３０〜ステップ９３１の説明を省略する。
【０２５５】
図９Ｃは、本発明の実施態様に従い、表示画面上に表示された移動対象であるオブジェクトを移動するためのフローチャートであって、枠表示手段が少なくとも１つの特定された枠を表示し且つ縮小表示表示手段が上記枠に関連付けられた縮小表示又は、円、楕円、略円若しくは略楕円を表示する処理を含むフローチャートを示す。
【０２５６】
ステップ９４１〜ステップ９４２はそれぞれ、図９Ａに示すステップ９０１〜ステップ９０２に対応する。従って、図９Ｃのステップの説明において、ステップ９４１〜ステップ９４２の説明を省略する。
【０２５７】
ステップ９４３において、電子装置は、ステップ９４２のポインティング・デバイスのユーザによる特定の操作（例えば、マウスの場合、左クリック）又はユーザの操作指による特定の操作（例えばタブレット端末の場合、例えばタップ又はダブルタップ）の検出を受信することに応じて、表示画面枠上又はその近傍に、１つ又は複数の枠を表示する。当該枠は、表示画面上のどの位置に表示するかを予め特定された又は指定された枠である。当該枠は例えば、表示画面枠の少なくとも１つの角上に表示される。表示画面の頂点とは、所謂、角を意味する。なお、電子装置は、ポインティング・デバイスのカーソル又は操作指下の表示装置上に表示されるカーソル（以下、カーソルという場合には、上記２つのカーソルを意味する）に近い表示画面枠の角（頂点）に枠を表示しないようにしうる。なぜならば、上記カーソルに近い表示画面枠の角に当該カーソルを移動する方法として、慣用的な方法で当該カーソルを移動する方が、本発明の実施態様に従うよりも容易である場合があるからである。
【０２５８】
また、電子装置は、ステップ９４２の上記特定の操作の検出を受信することに応じて、上記特定の操作の検出を受信した際のポインティング・デバイスのカーソル又は操作指下の表示装置上に表示されるカーソル（以下、カーソルという場合には、上記２つのカーソルを意味する）の位置を原点として、当該原点を含み、表示画面枠に関連付けられた縮小表示又は、上記原点を含む円、楕円、略円若しくは略楕円（以下、縮小表示等ともいう）を表示する。上記カーソルが、表示画面上に表示された移動対象であるオブジェクトである。代替的には、電子装置は、ステップ９０２の上記特定の操作の検出を受信することに応じて、上記特定の操作の検出を受信した際のポインティング・デバイスのカーソル又は操作指下の表示装置上に表示されるカーソルの位置を原点として、当該原点を中心として、上記枠に関連付けられた縮小表示又は、円、楕円、略円若しくは略楕円を表示する。
【０２５９】
電子装置は、表示画面上に、上記枠と上記縮小表示等とを同時に表示してもよく、又は、まず上記枠を先に表示し、次に上記縮小表示等を表示してもよく、又は、まず上記縮小表示等を先に表示し、次に上記枠を表示してもよい。
【０２６０】
ステップ９４４において、電子装置は、上記カーソルが上記縮小表示等内で移動することを検出する。
【０２６１】
ステップ９４５において、電子装置は、ステップ９４４での上記カーソルの移動を検出して、上記原点を端点として、当該端点と上記カーソルの移動先の現在位置とを結ぶ半直線を求める。代替的には、電子装置は、上記半直線について、ステップ９４３で表示した少なくとも１つの枠のうち、上記移動先の方向に最も近い枠に重畳して表示されるように、上記半直線を修正しうる。代替的には、電子装置は、上記半直線について、ステップ９４３で表示した少なくとも１つの枠のうち、上記端点から最も遠い枠に重畳して（例えば、最も遠い枠の中心点に重畳して）表示されるように、上記半直線を修正しうる。
【０２６２】
電子装置は、当該求めた半直線を表示装置上に表示しうる。
【０２６３】
ステップ９４６において、電子装置は、ステップ９４５で求めた半直線とステップ９４５で特定された位置にある枠との交点を求める。電子装置は、当該求めた交点を特定する為の記述を表示装置上に表示しうる。
【０２６４】
ステップ９４７において、電子装置は、上記カーソルが移動中であり且つ上記縮小表示等の枠上を通過したかどうかを検出する。電子装置は、上記カーソルが上記縮小表示等の上記枠上を通過したことに応じて、処理をステップ９４８に進める。一方、電子装置は、上記カーソルが上記枠上を通過していないことに応じて、処理をステップ９４５に戻し、ステップ９４５〜９４７を繰り返す。
【０２６５】
ステップ９４８において、電子装置は、ステップ９４６で計算した交点に上記カーソルを移動して、表示装置上に表示する。
【０２６６】
ステップ９４９において、電子装置は、次の処理に備えて待機モードに入るか、又は上記処理を実行するためのプログラムを終了しうる。
【０２６７】
図９Ｄは、本発明の実施態様に従い、表示画面上に表示された移動対象であるオブジェクトを移動するためのフローチャートであって、枠表示手段が少なくとも１つの特定された枠を表示する処理を含むフローチャートを示す。
【０２６８】
ステップ９５１〜ステップ９５２はそれぞれ、図９Ａに示すステップ９０１〜ステップ９０２に対応する。従って、図９Ｄのステップの説明において、ステップ９５１〜ステップ９５２の説明を省略する。
【０２６９】
ステップ９５３において、電子装置は、ステップ９５２のポインティング・デバイスのユーザによる特定の操作（例えば、マウスの場合、左クリック）又はユーザの操作指による特定の操作（例えばタブレット端末の場合、例えばタップ又はダブルタップ）の検出を受信することに応じて、表示画面枠上又はその近傍に、１つ又は複数の枠を表示する。当該枠は、表示画面上のどの位置に表示するかを予め特定された又は指定された枠でありうる。当該枠は例えば、表示画面枠の少なくとも１つの角上に表示される。表示画面の頂点とは、所謂、角を意味する。なお、電子装置は、ポインティング・デバイスのカーソル又は操作指下の表示装置上に表示されるカーソル（以下、カーソルという場合には、上記２つのカーソルを意味する）に近い表示画面枠の角（頂点）に枠を表示しないようにしうる。なぜならば、上記カーソルに近い表示画面枠の角に当該カーソルを移動する方法として、慣用的な方法で当該カーソルを移動する方が、本発明の実施態様に従うよりも容易である場合があるからである。
【０２７０】
代替的には、電子装置は、ステップ９５２のポインティング・デバイスのユーザによる特定の操作（例えば、マウスの場合、左クリック）又はユーザの操作指による特定の操作（例えばタブレット端末の場合、例えばタップ又はダブルタップ）の検出を受信することに応じて、上記特定の操作の検出を受信した際のポインティング・デバイスのカーソル又は操作指下の表示装置上に表示されるカーソル（以下、カーソルという場合には、上記２つのカーソルを意味する）の位置を原点として、上記原点から最も遠い位置にあるオブジェクト（例えば、アイコン）を含むような枠、又は上記原点から最も遠い位置にあるオブジェクトから順に遠い位置にある１又は複数のオブジェクトそれぞれを１つずつ含む枠を表示する。
【０２７１】
ステップ９５４において、電子装置は、上記カーソルが、ステップ９５２での上記特定の操作を検出した際の上記ポインティング・デバイス又は上記操作指の位置を原点とする近傍の領域を移動したかどうかを検出する。当該近傍は、上記ポインティング・デバイス又は上記操作指の移動が少しで済むような距離でありうる。
【０２７２】
ステップ９５５において、電子装置は、ステップ９５４での上記カーソルの移動を検出して、上記原点を端点として、当該端点と上記カーソルの移動先の現在位置とを結ぶ半直線を求める。代替的には、電子装置は、上記半直線について、ステップ９５３で表示した少なくとも１つの枠のうち、上記移動先の方向に最も近い枠に重畳して表示されるように、上記半直線を修正しうる。代替的には、電子装置は、上記半直線について、ステップ９５３で表示した少なくとも１つの枠のうち、上記端点から最も遠い枠に重畳して（例えば、最も遠い枠の中心点に重畳して）表示されるように、上記半直線を修正しうる。
【０２７３】
電子装置は、当該求めた半直線を表示装置上に表示しうる。
【０２７４】
ステップ９５６において、電子装置は、ステップ９５５で求めた半直線とステップ９５５で特定された位置にある枠との交点を求める。代替的には、ステップ９５５で求めた半直線がステップ９５５で特定された位置にある枠の中心点（例えば、枠が円である場合の中心）が既に求められている場合には、当該既に求められている中心を交点として読み出す。
【０２７５】
電子装置は、当該求めた交点を特定する為の記述を表示装置上に表示しうる。
【０２７６】
ステップ９５７において、電子装置は、上記カーソルが移動中であり且つ上記原点の近傍において加速度的に一定距離、例えば一定ピクセル分移動したかどうかを検出する。電子装置は、上記カーソルが加速度的に上記一定距離分移動したことに応じて、処理をステップ９５８に進める。一方、電子装置は、上記カーソルが加速度的に上記一定距離分移動していないことに応じて、処理をステップ９５５に戻し、ステップ９５５〜９５を繰り返す。
【０２７７】
ステップ９５８〜ステップ９５９はそれぞれ、図９Ｃに示すステップ９４８〜ステップ９４９に対応する。従って、図９Ｄのステップの説明において、ステップ９５８〜ステップ９５９の説明を省略する。
【０２７８】
図１０は、図１Ａ又は図１Ｂに従うハードウェア構成を好ましくは備えており、本発明の実施態様に従う電子装置の機能ブロック図の一例を示した図である。
【０２７９】
電子装置（１００１）は、本願発明に従う電子装置を意味し、図１Ａに示す電子装置（１０１）及び図１Ｂに示す電子装置（１２１）を包含する。
【０２８０】
電子装置（１００１）は、枠表示手段（１０１１）、枠移動手段（１０１２）、縮小表示手段（１０１３）、オブジェクト移動検出手段（１０１４）、交点計算手段（１０１５）、選択手段（１０１６）、通過検出手段（１０１７）及びオブジェクト移動手段（１０１８）を備えている。
【０２８１】
枠表示手段（１０１１）は、ユーザからの指示に応じて、表示画面枠上又はその近傍において、少なくとも１つの枠を表示する。または、枠表示手段（１０１１）は、ユーザからの指示に応じて、少なくとも１つの枠を表示画面上に表示された移動対象であるオブジェクトの移動候補先上に表示する。または、ユーザからの指示に応じて、枠表示手段（１０１１）は、少なくとも１つの枠を上記オブジェクトの移動候補先上に表示する。ユーザからの指示は例えば、上記オブジェクトの移動処理の開始を命令するための特定のユーザ操作、例えば、ポインティング・デバイスの特定の操作（例えば、特定のボタンのプレス）、ユーザの操作指による特定の操作（例えばタブレット端末の場合、例えばタップ又はダブルタップ）、又はキーボードの特定の操作（例えば、特定のファンクション・キーのプレス）でありうる。
【０２８２】
枠移動手段（１０１２）は、図９Ａのステップ９０２に示すポインティング・デバイスのユーザによる特定の操作（例えば、マウスの場合、左クリック）の検出、ユーザの操作指による特定の操作（例えばタブレット端末の場合、例えばタップ又はダブルタップ）の検出、又はキーボードのユーザによる特定の操作（例えば、特定のキーの押下）の検出を受信した際の表示画面上に表示された移動対象であるオブジェクトの位置を原点とし、当該原点に収束するように上記枠を移動する。また、枠移動手段（１０１２）は、上記枠を縮小又は拡大することによって上記枠の移動を行いうる。また、枠移動手段（１０１２）は、上記枠を自動的に縮小することによって上記枠の移動を行いうる。また、枠移動手段（１０１２）は、上記枠をユーザによる操作に応じて縮小又は拡大することによって、上記枠の移動を行いうる。また、枠移動手段（１０１２）は、上記枠の移動を加速度的に行いうる。また、枠移動手段（１０１２）は、上記枠の移動をユーザによる操作に応じて速度を下げること又は速度を上げることによって行いうる。
【０２８３】
縮小表示手段（１０１３）は、上記原点を含み、上記枠に関連付けられた縮小表示又は、上記原点を含む円、楕円、略円若しくは略楕円（以下、縮小表示等ともいう）を表示する。または、縮小表示手段（１０１３）は、上記原点を中心として、上記枠に関連付けられた縮小表示又は、円、楕円、略円若しくは略楕円を表示する。
【０２８４】
縮小表示手段（１０１３）はまた、上記原点を含み、上記枠に関連付けられた縮小表示又は、上記原点を含む円、楕円、略円若しくは略楕円を計算し、当該計算した縮小表示等の領域を表示画面には表示しない仮想的な縮小表示等とする。
【０２８５】
オブジェクト移動検出手段（１０１４）は、表示画面上に表示された移動対象であるオブジェクトの短距離の移動を検出する。短距離の移動とは、縮小表示手段（１０１３）によって表示された縮小表示等の領域内での移動若しくは縮小表示手段（１０１３）によって計算された表示画面には表示されない仮想的な縮小表示等の領域内での移動、上記原点近傍での若しくは上記仮想的な縮小表示等内での一定ピクセル分の移動、又は移動対象であるアイコンのアイコン領域内での移動でありうる。上記原点近傍での一定ピクセル分の移動とは、例えば、電子装置がタブレットの場合において、当該タブレットを保持している手の人差し指又は親指が表示画面上を移動可能なピクセル分の距離の移動でありうる。
【０２８６】
交点計算手段（１０１５）は、図９Ａのステップ９０２に示すポインティング・デバイスのユーザによる特定の操作（例えば、マウスの場合、左クリック）の検出、ユーザの操作指による特定の操作（例えばタブレット端末の場合、例えばタップ又はダブルタップ）の検出、又はキーボードのユーザによる特定の操作（例えば、特定のキーの押下）の検出を受信した際の表示画面上に表示された移動対象であるオブジェクトの位置を原点とし、当該原点を端点として当該端点と上記オブジェクトの上記短距離の移動先の位置とを結ぶ半直線と上記枠との交点を求める。
【０２８７】
選択手段（１０１６）は、選択手段（１０１６）は、交点計算手段（１０１５）で求められた交点が表示画面上に表示された移動対象であるオブジェクトの移動先として選択されたことを検出する。また、選択手段（１０１６）は、上記縮小表示内又は、円、楕円、略円若しくは略楕円内での上記オブジェクトの移動に応じて、上記交点を変更しうる。
【０２８８】
通過検出手段（１０１７）は、表示画面上に表示された移動対象であるオブジェクトが上記縮小表示の枠上又は、円、楕円、略円若しくは略楕円の円周上を通過することを検出する。
【０２８９】
オブジェクト移動手段（１０１８）は、交点計算手段（１０１５）で求められた交点に上記オブジェクトを移動する。または、オブジェクト移動手段（１０１８）は、上記縮小表示の枠上又は、円、楕円、略円若しくは略楕円の円周上を上記オブジェクトが通過することに応じて、上記オブジェクトの移動を行いうる。
【図１Ａ】
0005939581.tif 000002
【図１Ｂ】
0005939581.tif 000003
【図９Ａ】
0005939581.tif 000004
【図９Ｂ】
0005939581.tif 000005
【図９Ｃ】
0005939581.tif 000006
【図９Ｄ】
0005939581.tif 000007
【図１０】
0005939581.tif 000008
【図２Ａ】
0005939581.tif 000009
【図２Ｂ】
0005939581.tif 000010
【図２Ｃ】
0005939581.tif 000011
【図２Ｄ】
0005939581.tif 000012
【図２Ｅ】
0005939581.tif 000013
【図３Ａ】
0005939581.tif 000014
【図３Ｂ】
0005939581.tif 000015
【図３Ｃ】
0005939581.tif 000016
【図３Ｄ】
0005939581.tif 000017
【図３Ｅ】
0005939581.tif 000018
【図４Ａ】
0005939581.tif 000019
【図４Ｂ】
0005939581.tif 000020
【図５Ａ】
0005939581.tif 000021
【図５Ｂ】
0005939581.tif 000022
【図６Ａ】
0005939581.tif 000023
【図６Ｂ】
0005939581.tif 000024
【図６Ｃ】
0005939581.tif 000025
【図６Ｄ】
0005939581.tif 000026
【図７Ａ】
0005939581.tif 000027
【図７Ｂ】
0005939581.tif 000028
【図７Ｃ】
0005939581.tif 000029
【図８Ａ】
0005939581.tif 000030
【図８Ｂ】
0005939581.tif 000031